(57)【特許請求の範囲】
【請求項１】
地盤に基礎が構築され、この基礎の上側に下部支持基体が構築され、基礎と下部支持基体との間の多数の箇所に免震手段がそれぞれ配設され、下部支持基体上にＨＦＣ柱、耐震壁又は耐震ブレース壁架構、ＨＦＣ梁、床スラブ等からなる上部多層躯体が構築されている平面視が長い矩形の中高層建造物において、下部支持基体上に、多数本の第１ＨＦＣ柱が前記矩形の一方の長辺に沿って一定の間隔をおいて樹立され、多数本の第２ＨＦＣ柱が前記矩形の他方の長辺に沿って前記と同じ間隔をおいて樹立され、多数の第１ＨＦＣ柱の列の１本〜数本おきの第１ＨＦＣ柱とこれに対向する第２ＨＦＣ柱との中間に前記短辺と平行に耐震壁又は耐震ブレース壁架構が樹立され、多数の第１ＨＦＣ柱の列のほかの第１ＨＦＣ柱とこれに対向する第２ＨＦＣ柱との中間部付近に第３ＨＦＣ柱が樹立され、前記長辺に沿った各第１ＨＦＣ柱及び各第２各ＨＦＣ柱の梁取付部間に配された第１ＨＦＣ梁が第１ＨＦＣ柱又は第２ＨＦＣ柱の梁取付部に接合され、各第１ＨＦＣ柱及び各第２ＨＦＣ柱の梁取付部と第３ＨＦＣ柱の梁取付部との間に配された第２ＨＦＣ梁又は第２梁鉄骨が第３ＨＦＣ柱及び第１ＨＦＣ柱又は第２ＨＦＣ柱の梁取付部に接合され、第１ＨＦＣ柱及び第２ＨＦＣ柱の梁取付部と耐震壁又は耐震ブレース壁架構の梁取付部との間に配された第３ＨＦＣ梁又は第３梁鉄骨が耐震壁又は耐震ブレース壁架構及び第１ＨＦＣ柱又は第２ＨＦＣ柱の梁取付部に接合され、第２ＨＦＣ梁又は第２梁鉄骨と第３ＨＦＣ梁又は第３梁鉄骨との間、及び第２ＨＦＣ梁又は第２梁鉄骨と耐震壁又は耐震ブレース壁架構との間に、プレキャストされた床板がそれぞれ配され、各床板の端部が、第２ＨＦＣ梁の梁鉄骨、第３ＨＦＣ梁の梁鉄骨、第２梁鉄骨又は第３梁鉄骨の下側のフランジの上面或いは耐震壁又は耐震ブレース壁架構の床板受け部の支持面で直接支持され、或いは前記上面又は前記支持面上に載設した間隔保持部材を介して支持され、各床板又は各床板上に設けられた床形成材により床スラブが形成されていることを特徴とするＨＦＣ柱、ＨＦＣ梁等を用いた中高層建造物。
【請求項２】
地盤に基礎が構築され、この基礎の上側に下部支持基体が構築され、基礎と下部支持基体との間の多数の箇所に免震手段がそれぞれ配設され、下部支持基体上にＨＦＣ柱、耐震壁又は耐震ブレース壁架構、ＨＦＣ梁、床スラブ等からなる上部多層躯体が構築されている平面視が長い矩形の中高層建造物において、下部支持基体上に、多数の第１ＨＦＣ柱が前記矩形の一方の長辺に沿って一定の間隔をおいて樹立され、多数の第２ＨＦＣ柱が他方の長辺に沿って前記と同じ間隔をおいて樹立され、前記各長辺の両端に位置する第１ＨＦＣ柱と第２ＨＦＣ柱との中間に前記矩形の短辺に沿って耐震壁又は耐震ブレース壁架構がそれぞれ樹立され、前記各長辺の両端以外の多数の第１ＨＦＣ柱の列の１本〜数本おきの第１ＨＦＣ柱とこれに対向する第２ＨＦＣ柱との中間に耐震壁又は耐震ブレース壁架構が樹立され、中間に耐震壁又は耐震ブレース架構が樹立されないほかの第１ＨＦＣ柱と第２ＨＦＣ柱との中間に第３ＨＦＣ柱が樹立され、第１ＨＦＣ柱及び第２ＨＦＣ柱の柱鉄骨のフランジ面が前記矩形の短辺と平行になり、第３ＨＦＣ柱の柱鉄骨のフランジ面が前記矩形の長辺と平行になるように各ＨＦＣ柱が配置され、前記長辺に沿った各第１ＨＦＣ柱及び各第２ＨＦＣ柱の梁取付部間に配された第１ＨＦＣ梁が着脱可能な接合手段により第１ＨＦＣ柱及び第２ＨＦＣ柱の梁取付部に接合され、第１ＨＦＣ柱又は第２ＨＦＣ柱の梁取付部と第３ＨＦＣ柱の梁取付部との間に配された第２ＨＦＣ梁が着脱可能な接合手段により第３ＨＦＣ柱及び第１ＨＦＣ柱又は第２ＨＦＣ柱の梁取付部に接合され、第１ＨＦＣ柱又は第２ＨＦＣ柱の梁取付部と耐震壁又は耐震ブレース架構の梁取付部との間に配された第３ＨＦＣ梁が着脱可能な接合手段により耐震壁又は耐震ブレース架構及び第１ＨＦＣ柱又は第２ＨＦＣ柱の梁取付部に接合され、第２ＨＦＣ梁と第３ＨＦＣ梁との間、又は第２ＨＦＣ梁と耐震壁又は耐震ブレース壁架構との間にプレキャストされた床板が配され、床板の両方の端部が第２ＨＦＣ梁及び第３ＨＦＣ梁の梁鉄骨の下側のフランジの幅方向の端よりの部分の上面或いは耐震壁又は耐震ブレース壁架構の床板受け部の支持面で直接支持され、或いは前記上面又は前記支持面上に載設した間隔保持部材を介して支持され、各床板又は各床板上に設けられた床形成材により床スラブが形成されていることを特徴とするＨＦＣ柱、ＨＦＣ梁等を用いる中高層建造物。
【請求項３】
地盤に基礎が構築され、この基礎の上側に下部支持基体が構築され、基礎と下部支持基体との間の多数の箇所に免震手段がそれぞれ配設され、下部支持基体上にＨＦＣ柱、耐震壁又は耐震ブレース壁架構、ＨＦＣ梁、床スラブ等からなる上部多層躯体が構築されている平面視が長い矩形の中高層建造物において、多数の第１ＨＦＣ柱が前記矩形の一方の長辺に沿って一定の間隔をおいて樹立され、多数の第２ＨＦＣ柱が他方の長辺に沿って前記と同じ間隔をおいて樹立され、前記各長辺の多数の第１ＨＦＣ柱の列の１本〜数本おきの第１ＨＦＣ柱とこれに対向する第２ＨＦＣ柱との中間に耐震壁又は耐震ブレース壁架構が樹立され、中間に耐震壁又は耐震ブレース壁架構が樹立されないほかの第１ＨＦＣ柱と第２ＨＦＣ柱との中間に第３ＨＦＣ柱が樹立され、第１ＨＦＣ柱及び第２ＨＦＣ柱の柱鉄骨のフランジ面が前記矩形の短辺と平行になり、第３ＨＦＣ柱の柱鉄骨のフランジ面が前記矩形の長辺と平行になるように各ＨＦＣ柱が配置され、前記長辺に沿った各第１ＨＦＣ柱及び各第２ＨＦＣ柱の梁取付部間に配された第１ＨＦＣ梁が着脱可能な接合手段により第１ＨＦＣ柱及び第２ＨＦＣ柱の梁取付部に接合され、第１ＨＦＣ柱及び第２ＨＦＣ柱の梁取付部と第３ＨＦＣ柱の梁取付部との間に配された第２梁鉄骨が着脱可能な接合手段により第３ＨＦＣ柱及び第１ＨＦＣ柱又は第２ＨＦＣ柱の梁取付部に接合され、第１ＨＦＣ柱及び第２ＨＦＣ柱の梁取付部と耐震壁又は耐震ブレース壁架構の梁取付部との間に配された第３梁鉄骨が着脱可能な接合手段により耐震壁又は耐震ブレース壁架構及び第１ＨＦＣ柱又は第２ＨＦＣ柱の梁取付部に接合され、第２梁鉄骨と第３梁鉄骨との間、及び第２梁鉄骨と耐震壁又は耐震ブレース壁架構との間にプレキャストされた床板がそれぞれ配され、各床板の両方の端部が第２梁鉄骨及び第３梁鉄骨の下側のフランジの上面又は耐震壁又は耐震ブレース壁架構の床板受け部の支持面で直接支持され、或いは前記上面又は前記支持面上に載設した間隔保持部材を介して支持され、各床板又は各床板上に設けられた床形成材により床スラブが形成されていることを特徴とするＨＦＣ柱、ＨＦＣ梁等を用いた中高層建造物。
【請求項４】
所望の層の所望の箇所の第１ＨＦＣ柱とこれに対向する第２ＨＦＣ柱との中間に第３ＨＦＣ柱を設けないようにする場合において、前記箇所に対応する前記層の上側に配する第２ＨＦＣ梁又は第２梁鉄骨の代わりに、長い第４ＨＦＣ梁が前記箇所に対応する前記層の上側の第１ＨＦＣ柱と第２ＨＦＣ柱との間に配され、第４ＨＦＣ梁が着脱可能な接合手段により第１ＨＦＣ柱及び第２ＨＦＣ柱に接合され、複数本の緊張材が第４ＨＦＣ梁のコンクリート層中に梁の長手方向に延在させてコンクリートに付着しないように埋め込まれ、各緊張材に引張力を導入した状態が維持されて第４ＨＦＣ梁にプレストレスが付与されていることを特徴とする請求項１〜３のいずれか一つの項記載のＨＦＣ柱、ＨＦＣ梁等を用いる中高層建造物。
【請求項５】
第４ＨＦＣ梁を第１ＨＦＣ柱及び第２ＨＦＣ柱に圧着接合する場合において、第４ＨＦＣ梁のコンクリート層中に複数本の緊張材が梁の長手方向に延在させてコンクリートに付着しないように埋め込まれ、各緊張材の両方の端よりの部分が第１ＨＦＣ柱及び第２ＨＦＣ柱の挿通孔に通されて、各ＨＦＣ柱の外側に出され、各緊張材に引張力が導入され、導入した引張力が、各ＨＦＣ柱の外側に配された定着具にて保持され、第４ＨＦＣ梁の端部と各ＨＦＣ柱の梁取付部との圧着に寄与するようになっていることを特徴とする請求項４記載のＨＦＣ柱、ＨＦＣ梁等を用いる中高層建造物。
【請求項６】
第２及び第３ＨＦＣ梁又は第２及び第３梁鉄骨を取付ける第１ＨＦＣ柱及び第２ＨＦＣ柱の梁取付部が第１ＨＦＣ梁を取付ける第１ＨＦＣ柱及び第２ＨＦＣ柱の梁取付部より第２及び第３ＨＦＣ梁又は第２及び第３梁鉄骨の成と略同じ寸法だけ上方に位置していることを特徴とする請求項１〜３のいずれか一つの項記載のＨＦＣ柱、ＨＦＣ梁等を用いる中高層建造物。
【請求項７】
第１ＨＦＣ柱、第２ＨＦＣ柱及び第２ＨＦＣ柱として、成と幅との差が小さいＨ形鋼の鉄骨にそのウェブの両側の略全域にわたって多数本の頭付スタッドを間隔をおいて立設した柱鉄骨又は前記Ｈ形鋼の鉄骨の上側及び下側のフランジの内側面にフランジの長手方向の略全域にわたって延在させて配した異形棒鋼をフランジの内側面に固定した柱鉄骨と、柱鉄骨の両方のフランジの内側面、ウェブの両側の表面、柱鉄骨のフランジの幅方向の端面を含む平面、柱鉄骨の長手方向の端面を含む平面により囲まれる空間内にコンクリートを充填して柱鉄骨に付着させたコンクリート層とで構成されているＨＦＣ柱を使うことを特徴とする請求項請求項１〜４のいずれか一つの項記載のＨＦＣ柱、ＨＦＣ梁等を用いる中高層建造物。
【請求項８】
第１ＨＦＣ梁として、フランジの幅の広いＨ形鋼の鉄骨にそのウェブの両側の全域にわたって多数本の頭付スタッドを間隔をおいて立設した梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両側の表面、梁鉄骨のフランジの幅方向の端面を含む平面、梁鉄骨の長手方向の端面を含む平面により囲まれる空間内にコンクリートを充填して梁鉄骨に付着させたコンクリート層とで構成されているＨＦＣ梁を使うことを特徴とする請求項請求項１〜４のいずれか一つの項記載のＨＦＣ柱、ＨＦＣ梁等を用いる中高層建造物。
【請求項９】
第２ＨＦＣ梁及び第３ＨＦＣ梁として、フランジの幅の広いＨ形鋼の鉄骨にそのウェブの両側の全域にわたって多数本の頭付スタッドを間隔をおいて立設して梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両側の表面、梁鉄骨のフランジの幅方向の端面を含む平面に平行で前記端面からウェブ側に少々寄った平面、梁鉄骨の長手方向の端面を含む平面により囲まれる空間内にコンクリートを充填して梁鉄骨に付着させたコンクリート層とで構成されているＨＦＣ梁を使うことを特徴とする請求項請求項１〜４のいずれか一つの項記載のＨＦＣ柱、ＨＦＣ梁等を用いる中高層建造物。
【請求項１０】
複数のＨＦＣ梁を互い平行でかつ水平に配し、各ＨＦＣ梁の端を複数の柱に接合してなる建造物の床スラブの形成方法において、各ＨＦＣ梁がＨ形鋼の柱鉄骨とそのフランジ間のみにあって柱鉄骨に付着したコンクリート層とで構成され、前記コンクリート層の表面が各フランジの幅方向の端部の内側面を露出させるようなウェブ面に略平行な面とされ、ＨＦＣ梁とＨＦＣ梁との間にプレキャストコンクリート造の複数の床板を配し、各床板の両方の端部をＨＦＣ梁の梁鉄骨の下側のフランジの幅方向の端部の上面で直接支持し、又は前記上面上に載設した間隔保持部材を介して支持され、各床板の上側にスラブ鉄筋を配し、スラブ鉄筋をＨＦＣ梁の梁鉄骨に固着し、床板及びＨＦＣ梁の上側にコンクリートを打設して、床スラブを形成するとともに、床板の端面とＨＦＣ梁のコンクリート層の表面との間の隙間をコンクリートで満たすことを特徴とする床スラブの形成方法。
【請求項１１】
複数のＨ形鋼の梁鉄骨を互いに平行でかつ水平に配し、各梁鉄骨の端を複数の柱に接合してなる建造物の床スラブの形成方法において、梁鉄骨と梁鉄骨との間にプレキャストコンクリート造の複数の床板を配し、各床板の両方の端部を梁鉄骨の下側のフランジの上面にて直接支持し、又は前記上面上に載設した間隔保持体を介して支持し、各床板の上側にスラブ鉄筋を配し、スラブ鉄筋を梁鉄骨に固着し、床板の端部と梁鉄骨との間の隙間をコンクリートで満たして、各梁鉄骨をＨＦＣ梁化とするとともに、梁鉄骨及び床板の上側にコンクリートを打設して床スラブを形成することを特徴とする床スラブの形成方法。
【請求項１２】
梁鉄骨として、Ｈ形鋼のウェブの両側の略全域にわたって多数本の頭付スタッドを間隔をおいて立設した梁鉄骨又はＨ形鋼の上側及び下側のフランジの内側面にフランジの長手方向の略全域にわたって延在させて配した異形棒鋼をフランジの内側面に固定した梁鉄骨を用いることを特徴とする請求項１０又は１１記載の床スラブの形成方法。
【発明の詳細な説明】
【０００１】
【発明の属する技術分野】
この発明は、ＨＦＣ柱、ＨＦＣ梁等を用いた中高層建造物に関する。
【０００２】
【従来の技術】
従来の７階〜１５階程度の中高層の集合住宅の構造計画を行なう場合の最も一般的な構造種別は、鉄筋コンクリート造（ＲＣという）で、高さやスパンが大きくなるに従って鉄骨鉄筋コンクリート造（ＳＲＣという）を用いることが多かった。
従来のＨ形鋼の鉄骨とそのフランジ間のみにあって鉄骨に付着したコンクリート層とで構成された梁（この明細書ではＨＦＣ梁という、ＨＦＣ梁と同様の構成の柱をこの明細書ではＨＦＣ柱という）には、例えば、次の（ａ）及び（ｂ）がある。
（ａ）Ｈ形の横断面の鉄骨梁のウェブに間隔をおいて肋筋を通す貫通孔を穿ち、上側のフランジと下側のフランジとの間のウェブの両側に複数の梁主筋をそれぞれ配筋し、多数の肋筋を間隔をおいて前記各主筋を取り囲むように前記貫通孔に通して配筋し、前記の主筋及び肋筋が配筋されたウェブの両側の上側のフランジの下側の面と、ウェブの両側面と、下側のフランジの上側の面と、フランジの幅方向の端面を含む平面と、フランジ及びウェブの長手方向の端面を含む平面とで囲まれた空間をコンクリートでそれぞれ満たしたＨＦＣ梁。
（ｂ）Ｈ形の横断面の鉄骨梁のウェブの両側に、上側及び下側のフランジと平行にかつ鉄骨梁の長手方向に延在させて、狭い幅（すなわち、フランジの幅からウェブの厚さを除した値の半分以下の幅）の鋼製の板体を配し、この板体をウェブに固着し、ウェブの両側の上側のフランジの下側の面と、ウェブの両側面と、下側のフランジの上側の面と、フランジの幅方向の端面を含む平面と、フランジ及びウェブの長手方向の端面を含む平面とで囲まれた空間をコンクリートで満たしたＨＦＣ梁（例えば、特開平９−４１５５９号公報参照）。
従来の鉄骨造の梁とプレキャストコンクリート造の柱を接合した柱梁接合部には、例えば、次ぎの（ｃ）がある。
（ｃ）プレキャストコンクリート造の柱の複数の梁取付部の下部に梁受部がそれぞれ設けられ、Ｈ形の横断面の鉄骨梁の所定の長さにわたる端部の外側に梁主筋及び肋筋を配筋し、又は前記梁主筋及び肋筋の内側の鉄骨梁のウエブの両側の両方のフランジの間に、フランジの幅からウェブの厚さを除した値の半分より大きい幅のスチフナをそれぞれ間隔をおいて複数枚配し、各スチフナの下端を下側のフランジに溶接にて固着し、各スチフナのウェブ側の端をウェブに溶接にて固着し、梁主筋、肋筋、スチフナ等の周囲をコンクリートで覆って、鉄骨梁の端部を鉄骨鉄筋コンクリート造とし、鉄骨梁の端部及び柱の梁取付部のコンクリート層に複数の緊張材を通す挿通孔を設け、鉄骨梁の端部を柱の梁受部で受けて支持した状態にして、鉄骨梁の端部の各挿通孔及び柱の梁取付部の各挿通孔に鋼撚線等の緊張材をそれぞれ通して、各緊張材の端を鉄骨梁の鉄骨鉄筋コンクリート造の端部の内側面より突出させて、各緊張材に引張力を導入して、導入した引張力を緊張材の端に嵌めた定着具にて保持して、鉄骨梁の端部の端面を柱の梁取付面に圧接して、梁と柱とを接合した柱梁接合部（例えば、実開平６−７３２０３号公報参照）。
【０００３】
【発明が解決しようとする課題】
地震国の日本においては、大地震に耐える強度や剛性を確保するため、従来のＲＣ造及びＳＲＣ造の何れの構造種別を採用するにしても、柱や梁の断面が大きくなったり耐震壁が必要になったりして、フリープランやリフォームに対応することが難しかった。また、ＲＣ造の柱梁接合部は鉄筋が複雑に交差したり、ＳＲＣ造の柱梁接合部では鉄骨の溶接が必要になったりするため、柱と梁との脱着が極めて困難であった。さらに、ＲＣ造及びＳＲＣ造の構造体では、建設時の投入資源量や将来の解体時における廃棄物量が多く、解体や分別も容易ではないため、省資源、循環型の集合住宅には程遠い状態であった。
従来のＳＲＣ柱は、Ｈ形の横断面の柱鉄骨の周囲が多数の柱主筋及び帯筋で補強されたコンクリート層で覆われているため、柱が周囲のコンクリート層の厚さ分だけ太くなり、高強度でスリムな柱が得られない欠点があった。
従来の前記（ａ）のＨＦＣ梁は、梁鉄骨のウェブに貫通孔を穿ったり、肋筋を前記貫通孔に通して梁主筋の周囲に配筋したりなどする配筋のための作業に多くの工数を必要とする欠点がある。
従来の前記（ｂ）のＨＦＣ梁は、梁鉄骨の全長に亘ってそのウェブの両側に固着した長くて狭い幅の鋼製の板体が梁の下側に作用する引張力を分担するとともに、前記板体がウェブへのコンクリートの付着をよくする長所を有しているが、長くて狭い幅の鋼製の板体を梁鉄骨の全長に亘ってそのウェブの両側の所定位置に溶接にて接合する場合には、その溶接作業に高度の熟練と多くの工数とを必要とする欠点があり、また、長くて狭い幅の鋼製の板体を鉄骨梁の全長に亘ってそのウェブの両側の所定位置にボルト・ナットにて接合する場合には、板体及びウェブの所定位置に多数のボルト孔を穿設する必要があり、このボルト孔の穿設等に多くの工数を必要とする欠点があり、狭い幅の鋼製の板体を梁鉄骨のウェブに固着しただけでは、梁鉄骨へのコンクリートの付着が充分であるとはいえない。
従来の前記（ｃ）の柱梁接合部は、Ｈ形の横断面の鉄骨梁の端部を所定の長さに亘って鉄筋コンクリートで覆って鉄骨鉄筋コンクリート造とするため、鉄骨梁の外側に梁主筋及び肋筋があり、又は前記梁主筋及び肋筋の内側の各スチフナの端が鉄骨梁の両方のフランジの幅方向の端縁間から側方に突出するため、梁主筋、肋筋、スチフナ等をコンクリートで覆って造った鉄骨鉄筋コンクリート造の梁の端部が、鉄骨梁の鉄骨鉄筋コンクリート造の端部以外の鉄骨だけの部分に比して極端に大きくなってしまい、建物の有効な室空間を狭めてしまう欠点がある。
そして、従来のＳＲＣ柱、前記（ａ）のＨＦＣ梁、前記（ｂ）のＨＦＣ梁、前記（ｃ）の柱梁接合部の鉄骨梁等を用いたのでは、ＳＲＣ柱が肥大化し、室空間に大きく梁型が露出し、鉄骨とコンクリートとからなるスリムな構造体を得ることができない。
この発明の解決しようとする課題は、従来の技術の上記のような欠点を有しないＨＦＣ柱、ＨＦＣ梁等を用いた中高層建造物を提供すること、換言すると、居住者の将来のニーズの変化や社会環境の変化に容易に対応できて、耐震壁又は耐震ブレース壁架構が少なくかつ室内に梁型が全く表れないか或いは梁型が少ししか表れない広い無柱空間を有する次世代型集合住宅に適し、また、地球環境問題の観点から、資源を有効に活用でき、地震の無い欧米並みにスリム化した鉄骨とコンクリートとからなる構造体で、かつ脱着可能な簡素化された柱梁接合部とすることにより、再利用可能な長寿命の資源循環型のＨＦＣ柱、ＨＦＣ梁等を用いた中高層建造物を提供することにある。
【０００４】
【課題を解決するための手段】
この発明のＨＦＣ柱、ＨＦＣ梁等を用いた中高層建造物は、地盤に基礎が構築され、この基礎の上側に下部支持基体が構築され、基礎と下部支持基体との間の多数の箇所に免震手段がそれぞれ配設され、下部支持基体上にＨＦＣ柱、耐震壁又は耐震ブレース壁架構、ＨＦＣ梁、床スラブ等からなる上部多層躯体が構築されている平面視が長い矩形の中高層建造物において、下部支持基体上に、多数本の第１ＨＦＣ柱が前記矩形の一方の長辺に沿って一定の間隔をおいて樹立され、多数本の第２ＨＦＣ柱が前記矩形の他方の長辺に沿って前記と同じ間隔をおいて樹立され、多数の第１ＨＦＣ柱の列の１本〜数本おきの第１ＨＦＣ柱とこれに対向する第２ＨＦＣ柱との中間に前記短辺と平行に耐震壁又は耐震ブレース壁架構が樹立され、多数の第１ＨＦＣ柱の列のほかの第１ＨＦＣ柱とこれに対向する第２ＨＦＣ柱との中間部付近に第３ＨＦＣ柱が樹立され、前記長辺に沿った各第１ＨＦＣ柱及び各第２各ＨＦＣ柱の梁取付部間に配された第１ＨＦＣ梁が第１ＨＦＣ柱又は第２ＨＦＣ柱の梁取付部に接合され、各第１ＨＦＣ柱及び各第２ＨＦＣ柱の梁取付部と第３ＨＦＣ柱の梁取付部との間に配された第２ＨＦＣ梁又は第２梁鉄骨が第３ＨＦＣ柱及び第１ＨＦＣ柱又は第２ＨＦＣ柱の梁取付部に接合され、第１ＨＦＣ柱及び第２ＨＦＣ柱の梁取付部と耐震壁又は耐震ブレース壁架構の梁取付部との間に配された第３ＨＦＣ梁又は第３梁鉄骨が耐震壁又は耐震ブレース壁架構及び第１ＨＦＣ柱又は第２ＨＦＣ柱の梁取付部に接合され、第２ＨＦＣ梁又は第２梁鉄骨と第３ＨＦＣ梁又は第３梁鉄骨との間、及び第２ＨＦＣ梁又は第２梁鉄骨と耐震壁又は耐震ブレース壁架構との間に、プレキャストされた床板がそれぞれ配され、各床板の端部が、第２ＨＦＣ梁の梁鉄骨、第３ＨＦＣ梁の梁鉄骨、第２梁鉄骨又は第３梁鉄骨の下側のフランジの上面或いは耐震壁又は耐震ブレース壁架構の床板受け部の支持面で直接支持され、或いは前記上面又は前記支持面上に載設した間隔保持部材を介して支持され、各床板又は各床板上に設けられた床形成材により床スラブが形成されていることを特徴とするものである。
この発明の好適な形態では、第１及び第２ＨＦＣ柱の柱鉄骨のフランジ面が前記矩形の短辺と平行になり第３ＨＦＣ柱の柱鉄骨のフランジ面が前記長辺と平行になるように第１乃至第３ＨＦＣ柱が配置される。
上記中高層建造物は、例えば、７階〜１５階程度の集合住宅である。
【０００５】
この発明の好ましい形態では、各ＨＦＣ柱と各ＨＦＣ梁との接合及び耐震壁又は耐震ブレース壁架構と各ＨＦＣ梁との接合は、着脱可能な接合手段により行なう。着脱可能な接合手段としては、例えば、長ボルト（締め）接合、圧着接合、又はビン接合等による乾式接合法を採用する。なお、解体の容易性を求めない場合には、各ＨＦＣ柱のフランジと各ＨＦＣ梁の梁鉄骨の端部と接合は、溶接による剛接合とすることもできる。
着脱可能な接合手段として圧着接合を採用し、使用するＨＦＣ梁にプレストレスを導入してその強度を高める場合には、必要に応じて、ＨＦＣ梁にプレストレスを付与するために緊張材に導入された緊張力が、ＨＦＣ梁の端部をＨＦＣ柱の梁取付部に圧着させるための力として作用するようにする。
そして、第３ＨＦＣ柱の梁取付部と第１ＨＦＣ柱及び第２ＨＦＣ柱の梁取付部との間に第２ＨＦＣ梁を配し、第２ＨＦＣ梁を着脱可能な接合手段により第１ＨＦＣ柱乃至第３ＨＦＣ柱の梁取付部に接合し、耐震壁又は耐震ブレース壁架構の梁取付部と第１ＨＦＣ柱及び第２ＨＦＣ柱の梁取付部との間に第３ＨＦＣ梁を配し、第３ＨＦＣ梁を着脱可能な接合手段により耐震壁又は耐震ブレース壁架構及び第１ＨＦＣ柱又は第２ＨＦＣ柱の梁取付部に接合する。又は、第３ＨＦＣ柱の梁取付部と第１ＨＦＣ柱及び第２ＨＦＣ柱の梁取付部との間に第２梁鉄骨を配し、第２梁鉄骨を着脱可能な接合手段により第１ＨＦＣ柱乃至第３ＨＦＣ柱の梁取付部に接合し、耐震壁又は耐震ブレース壁架構の梁取付部と第１ＨＦＣ柱及び第２ＨＦＣ柱の梁取付部との間に第３梁鉄骨を配し、第３梁鉄骨を着脱可能な接合手段により耐震壁又は耐震ブレース壁架構及び第１ＨＦＣ柱又は第２ＨＦＣ柱の梁取付部に接合する。
【０００６】
この発明の好適な形態では、例えば、次の（Ａ）及び（Ｂ）のようにする。
（Ａ）所望の層の所望の箇所の第１ＨＦＣ柱とこれに対向する第２ＨＦＣ柱との中間に第３ＨＦＣ柱（或は耐震壁又は耐震ブレース壁架構）を設けないようにする場合において、前記箇所に対応する前記層の上側に配する第２ＨＦＣ梁又は第２梁鉄骨の代わりに、長い第４ＨＦＣ梁が前記箇所に対応する前記層の上側の第１ＨＦＣ柱と第２ＨＦＣ柱との間に配され、第４ＨＦＣ梁が着脱可能な接合手段により第１ＨＦＣ柱及び第２ＨＦＣ柱に接合され、複数本の緊張材が第４ＨＦＣ梁のコンクリート層中に梁の長手方向に延在させてコンクリートに付着しないように埋め込まれ、各緊張材に引張力を導入した状態が維持されて第４ＨＦＣ梁にプレストレスが付与されている状態にする。
（Ｂ）第２及び第３ＨＦＣ梁又は第２及び第３梁鉄骨を取付ける柱第１ＨＦＣ柱及び第２ＨＦＣ柱の梁取付部を、第１ＨＦＣ梁を取付ける第１ＨＦＣ柱及び第２ＨＦＣ柱の梁取付部よりも第２及び第３ＨＦＣ梁又は第２及び第３梁鉄骨の成と略同じ寸法だけ上方に位置させるようにする。
必要に応じて、上記（Ａ）の第４ＨＦＣ梁を第１ＨＦＣ柱及び第２ＨＦＣ柱に圧着接合する場合において、第４ＨＦＣ梁のコンクリート層中に複数本の緊張材が梁の長手方向に延在させてコンクリートに付着しないように埋め込まれ、各緊張材の両方の端よりの部分が第１ＨＦＣ柱及び第２ＨＦＣ柱の挿通孔に通されて、各ＨＦＣ柱の外側に出され、各緊張材に引張力が導入され、導入した引張力が、各ＨＦＣ柱の外側に配された定着具にて保持され、第４ＨＦＣ梁の端部と各ＨＦＣ柱の梁取付部との圧着に寄与するようにする。
【０００７】
この発明の好適な形態では、第１ＨＦＣ柱、第２ＨＦＣ柱及び第２ＨＦＣ柱として、成と幅との差が小さいＨ形鋼の鉄骨にそのウェブの両側の全域にわたって多数本の頭付スタッドを間隔をおいて立設して柱鉄骨又は前記Ｈ形鋼の鉄骨の上側及び下側のフランジの内側面にフランジの長手方向の略全域にわたって延在させて配した異形棒鋼をフランジの内側面に固定した柱鉄骨と、柱鉄骨の両方のフランジの内側面、ウェブの両側の表面、柱鉄骨のフランジの幅方向の端面を含む平面、柱鉄骨の長手方向の端面を含む平面により囲まれる空間内にコンクリートを充填して柱鉄骨に付着させたコンクリート層とで構成されたＨＦＣ柱を使う。
この発明の好適な形態では、第１ＨＦＣ梁として、フランジの幅の広いＨ形鋼の鉄骨にそのウェブの両側の全域にわたって多数本の頭付スタッドを間隔をおいて立設して梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両側の表面、梁鉄骨のフランジの幅方向の端面を含む平面、梁鉄骨の長手方向の端面を含む平面により囲まれる空間内にコンクリートを充填して梁鉄骨に付着させたコンクリート層とで構成されたＨＦＣ梁を使う。
第２ＨＦＣ梁及び第２ＨＦＣ梁として、フランジの幅の広いＨ形鋼の鉄骨にそのウェブの両側の全域にわたって多数本の頭付スタッドを間隔をおいて立設して梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両側の表面、梁鉄骨のフランジの幅方向の端面を含む平面に平行で前記端面からウェブ側に少々寄った平面、梁鉄骨の長手方向の端面を含む平面により囲まれる空間内にコンクリートを充填して梁鉄骨に付着させたコンクリート層とで構成されたＨＦＣ梁を使う。
【０００８】
この発明の建造物においては、例えば、次の（Ｃ）及び（Ｄ）のようにして床スラブを形成する。
（Ｃ）複数のＨＦＣ梁を互い平行でかつ水平に配し、各ＨＦＣ梁の端を複数の柱に接合してなる建造物の床スラブの形成において、各ＨＦＣ梁がＨ形鋼の柱鉄骨とそのフランジ間のみにあって柱鉄骨に付着したコンクリート層とで構成され、前記コンクリート層の表面が各フランジの幅方向の端部の内側面を露出させるようなウェブ面に略平行な面にされ、ＨＦＣ梁とＨＦＣ梁との間にプレキャストコンクリート造の複数の床板を配し、各床板の両方の端部をＨＦＣ梁の梁鉄骨の下側のフランジの幅方向の端部の内側面の上面で直接支持し、又は前記上面上に載設した間隔保持部材を介して支持し、各床板の上側にスラブ鉄筋を配し、スラブ鉄筋をＨＦＣ梁の梁鉄骨に固着し、床板及びＨＦＣ梁の上側にコンクリートを打設して、床スラブを形成するとともに、床板の端面とＨＦＣ梁のコンクリート層の表面との間の隙間をコンクリートで満たし、床板が動かないようにする。
【０００９】
（Ｄ）複数のＨ形鋼の梁鉄骨を互いに平行でかつ水平に配し、各梁鉄骨の端を複数の柱に接合してなる建造物の床スラブの形成において、梁鉄骨と梁鉄骨との間にプレキャストコンクリート造の複数の床板を配し、各床板の両方の端部を梁鉄骨の下側のフランジの上面で直接支持し、又は前記上面上に載設した間隔保持部材を介して支持し、各床板の上側にスラブ鉄筋を配し、スラブ鉄筋を梁鉄骨に固着し、床板の端部と梁鉄骨との隙間をコンクリートで満たして、各梁鉄骨をＨＦＣ梁化とするとともに、床板及び梁鉄骨の上側にコンクリートを打設して床スラブを形成する。
上記（Ｄ）の場合には、梁鉄骨として、例えば、Ｈ形鋼のウェブの両側の全域にわたって多数本の頭付スタッドを間隔をおいて立設した梁鉄骨又はＨ形鋼の上側及び下側のフランジの内側面にフランジの長手方向の略全域にわたって延在させて配した異形棒鋼をフランジの内側面に固定した梁鉄骨を用いる。
【００１０】
【実施例】
実施例１は、図１〜図２４に示され、この発明を多層の集合住宅に適用した例である。
初めに、構成要素となるＨＦＣ柱１０Ａ〜１０Ｃ、ＨＦＣ梁２０Ａ〜２０Ｃ、耐震壁３０等の構成及びそれらの接合の仕方等を説明する。
ＨＦＣ柱１０Ａ〜１０Ｃは、図３及び図４に示すように、Ｈ形鋼の柱鉄骨１１とそのフランジ１１ａ，１１ａ間のみにあって柱鉄骨１１に付着したコンクリート層１２とで構成される。図示のＨＦＣ柱１０Ａ〜１０Ｃでは、その柱鉄骨１１の成Ｈとフランジ幅Ｗとが同じであるが、成Ｈと幅Ｗとが異なっていてもよい。
ＨＦＣ柱１０Ａ〜１０Ｃは、各柱鉄骨１１のウェブ１１ｂの両側に、多数本の頭付スタッドＳｄを、その略全域にわたって長手方向及び幅方向に間隔をおいて、それらの基端部がウェブ１１ｂに対して直角になるように溶接にて固着してある。
ＨＦＣ柱１０Ａ〜１０Ｃのコンクリート層１２は、柱鉄骨１１のウェブ１１ｂの両側の両方のフランジ１１ａの内側の面、ウェブ１１ｂの表面、両方のフランジ１１ａの幅方向の端面を含む平面、柱鉄骨１１の長手方向の両方の端面を含む平面により囲まれる空間内にコンクリートを充填して形成される。
【００１１】
ＨＦＣ柱１０Ａ〜１０Ｃのフランジ１１ａの面にＨＦＣ梁２０Ａを長ボルト接合する場合には、ＨＦＣ柱１０Ａの梁取付部の左側及び右側のフランジ１１ａ及びコンクリート層１２ｂに、図１５及び図１６に示すように、長ボルトＬｂを通す挿通孔１１ａ２，１２ｂ１を設ける。ＨＦＣ柱１０Ａ，１０Ｂのコンクリート層１２ｂの面にＨＦＣ梁２０Ｂ，２０Ｃを長ボルト接合する場合には、ＨＦＣ柱１０Ａ，１０Ｂの梁取付部のウェブ１１ｂ及びコンクリート層１２ｂの下部及び上部に、図１７及び図１８に示すように、長ボルトＬｂを通す挿通孔１１ｂ１，１２ｂ２を設ける。
ＨＦＣ柱１０Ａ〜１０Ｃのフランジ面にＨＦＣ梁２０Ａ，２０Ｂを圧接接合する場合には、ＨＦＣ柱１０Ａ〜１０Ｃの梁取付部のフランジ１１ａ及びコンクリート層１２ｂの下部及び上部に、図２１〜図２２に示すように、緊張材Ｔｄを通す挿通孔１１ａ３，１２ｂ３を設ける。ＨＦＣ柱１０Ａのコンクリート層の面にＨＦＣ梁２０Ｂ，２０Ｃを圧接接合する場合には、ＨＦＣ柱１０Ａ，１０Ｂの梁取付部のウェブ１１ｂ及びコンクリート層１２ｂの下部及び上部に、図２３及び図２４に示すように、緊張材Ｔｄを通す挿通孔１１ｂ２，１２ｂ４を設ける。
【００１２】
コンクリート層を形成する際に、コンクリートを充填する空間内の挿通孔の形成個所に、挿通孔となる中空部のある鞘管を配置してから、コンクリートを充填すると、コンクリート層への挿通孔の形成が容易になる。
圧接接合の場合には、必要に応じて、梁取付部の下側にここに取り付けるＨＦＣ梁２０Ａ〜２０Ｃの端部を受ける梁受アングル１４，２４をボルト止め又は溶接にて固着しておくとよい。
ＨＦＣ柱１０Ａ〜１０Ｃは、必要に応じて、図２１に示すように、その梁取付部に対応する柱鉄骨１１のウェブ１１ｂの両側のフランジ１１ａ間に鋼板製のスチフナ１１ｃ，１１ｃを配し、スチフナ１１ｃ，１１ｃをフランジ１１ａの内側面に直角に溶接にて固着し、梁取付部の近傍の柱鉄骨１１を補強する。
【００１３】
ＨＦＣ柱１０Ａ〜１０Ｃ同士を長ボルト接合する場合には、図１３及び図１４に示すように、１０Ａ〜１０Ｃの端部のウェブ１１ｂの両側のフランジ１１ａ及びコンクリート層１２ａに、長ボルトＬｂを通す挿通孔１１ａ１，１２ａ１を設け、ＨＦＣ柱の端部の両方のフランジ１１ａの外側に鋼板からなる添え板Ｓｐを当て、添え板Ｓｐのボルト孔およびＨＦＣ柱の挿通孔１１ａ１，１２ｂ１に長ボルトＬｂを通し、長ボルトＬｂの端部のねじ部にナットをねじ込んで、ＨＦＣ柱同士を接合する。
ＨＦＣ柱１０Ａ〜１０Ｃ同士を圧着接合する場合には、図１９及び図２０に示すように、ＨＦＣ柱のウェブ１１ｂの両方の側のコンクリート層１２の端部からある程度はなれた処にコンクリートのない空部１３を設け、端部よりのコンクリート層１２ａにＨＦＣ柱の端面から前記空部１４に通じる緊張材Ｔｄを通す対の挿通孔１２ａ２を設ける。そして、下側のＨＦＣ柱１０Ａ〜１０Ｃの上側の端面と上側のＨＦＣ柱１０Ａ〜１０Ｃの下側の端面とをそれらの間にモルタルＭｔを介在させて密着させ、コンクリート層の挿通孔１２ａ２に、緊張材Ｔｄを通して、それらＴｄの端部を各空部１３に出して、これらの空部１３に適宜の引張力導入手段を入れて、緊張材Ｔｄに引張力を導入して、導入した引張力を緊張材Ｔｄの端部に嵌めた定着具Ａｄにて保持して、一方のＨＦＣ柱の端面を他方のＨＦＣ柱の端面に強く圧接した状態を保持し、前記空部１３をモルタル又はコンクリートで満たし、ＨＦＣ柱同士を接合する。なお、ＨＦＣ柱１０Ａ〜１０Ｃの長さは、運搬に適するように、階高寸法の２倍〜３倍程度にする。
【００１４】
ＨＦＣ梁２０Ａは、図５及び図６に示すように、Ｈ形鋼の梁鉄骨２１とそのフランジ２１ａ，２１ａ間のみにあって梁鉄骨に付着したコンクリート層２２とで構成される。図示のＨＦＣ梁２０Ａでは、その梁鉄骨２１の成Ｈとそのフランジ幅Ｗとが同じになっているが、成Ｈと幅Ｗとが異なっていてもよい。
ＨＦＣ梁２０Ａの梁鉄骨２１には、そのウェブ２１ｂの両側に、多数本の頭付スタッドＳｄが、その略全域にわたって長手方向及び幅方向に間隔をおいて、それらの基端部をウェブ１１ｂに対して直角になるように溶接にて固着されている。
ＨＦＣ梁２０Ａのコンクリート層２２は、梁鉄骨２１のウェブ２１ｂの両側のフランジ２１ａの内側の面、ウェブ２１ｂの表面、両方のフランジ２１ａの幅方向の端縁を含む平面、梁鉄骨２１の長手方向の両方の端面を含む平面により囲まれる空間内にコンクリートを充填して形成される。
なお、ＨＦＣ柱１０Ａ〜１０Ｃ、ＨＦＣ梁２０Ａ及び後記ＨＦＣ梁２０Ｂ，２０Ｃの梁鉄骨としては、鉄骨１１，２１のウェブ１１ｂ，２１ｂに多数本の頭付スタッドＳｄを固着する代わりに、図８に示すように、鉄骨１１，２１の両方のフランジ１１ａ，２１ａの内側面に、ウェブ１１ｂ，２１ｂと平行に異形棒鋼（異形鉄筋）Ｄｂをそれぞれ配し、それらの異形棒鋼Ｄｂをフランジ１１ａ，２１ａの内側面に溶接にて固着するようにして製作したものを使ってもよい。
【００１５】
ＨＦＣ梁２０ＡをＨＦＣ柱１０Ａ，１０Ｂに長ボルト接合する場合には、梁鉄骨２１の端よりの部分のウェブ２１ｂの両側の両方のフランジ２１ａ及びコンクリート層２２ａに、図１５及び図１６に示すように、長ボルトＬｂを通す挿通孔２１ａ１，２２ａ１を設ける。
そして、所定の位置に建てたＨＦＣ柱１０Ａ，１０Ｂのフランジ１１ａの梁取付部の下側に梁受アングル２５Ａの垂直部をそれぞれ当てがい、梁受アングル２５の垂直部のボルト孔及びＨＦＣ柱１０Ａの挿通孔１１ａ２，１２ｂ１に長ボルトＬｂを通し、長ボルトＬｂのねじ部にナットｎをねじ込んで、下側の梁受アングル２５Ａの垂直部をＨＦＣ柱１０Ａ，１０Ｂに固定する。
ＨＦＣ柱１０Ａ，１０Ｂに固定した下側の梁受アングル２５Ａの水平部の上側にＨＦＣ梁２０Ａの端部を載置し、ＨＦＣ梁２０Ａの端部の上側に梁受アングル２５Ｂの水平部を当てがい、梁受アングル２５Ｂの垂直部のボルト孔及びＨＦＣ柱の挿通孔１１ａ２，１２ｂ１に長ボルトＬｂを通し、長ボルトＬｂのねじ部にナットｎをねじ込んで、上側の梁受アングル２５Ｂの垂直部をＨＦＣ柱に固定するとともに、上側の梁受アングル２５Ｂの水平部のボルト孔、ＨＦＣ梁２０Ａの端部の挿通孔２１ａ１，２２ａ１及び下側の梁受アングル２５Ａの水平部のボルト孔に長ボルトＬｂを通し、長ボルトＬｂのねじ部にナットｎをねじ込んで、ＨＦＣ梁２０Ａの端部を上側及び下側の梁受アングル２５Ａ，２５Ｂに固定する。
【００１６】
ＨＦＣ梁２０ＡをＨＦＣ柱１０Ａ，１０Ｂに圧着接合する場合には、図２１及び図２２に示すように、ＨＦＣ梁２０Ａの端部から所定の距離はなれた処のウェブの両側にコンクリートのない空部２３を設け、ＨＦＣ梁２０Ａの端部よりコンクリート層２２ａにＨＦＣ梁の端面から前記空部２３に通じる緊張材Ｔｄを通す対の挿通孔２２ａ３を設ける。そして、ＨＦＣ柱１０Ａ，１０Ｂの両側の梁取付面にＨＦＣ梁２０Ａの端面をそれらの間にモルタルＭｔを介在させて密着させ、各ＨＦＣ梁２０Ａの挿通孔２２ａ３及びＨＦＣ柱１０Ａ，１０Ｂの挿通孔１１ａ３，１２ｂ３に、緊張材Ｔｄを通して、それらの緊張材Ｔｄの端部を各空部２３に出して、適宜の引張力導入手段により、緊張材Ｔｄに引張力を導入し、導入した引張力を緊張材の端部に嵌めた定着具Ａｄにて保持して、ＨＦＣ梁２０Ａの端面をＨＦＣ柱１０Ａの梁取付面に強く圧接した状態を保持し、前記空部２３をモルタル又はコンクリートで満たし、ＨＦＣ梁２０ＡをＨＦＣ柱１０Ａ，１０Ｂに接合する。
【００１７】
ＨＦＣ梁２０Ｂは、図７、図２３及び図２４に示すように、ＨＦＣ梁２０Ａと同様にＨ形鋼の梁鉄骨２１とそのフランジ２１ａ，２１ａ間のみにあって梁鉄骨２１に付着したコンクリート層２２とで構成される。図示のＨＦＣ梁１０Ｂでは、その梁鉄骨２１の成Ｈとそのフランジ幅Ｗとが同じであるが、成Ｈと幅Ｗとが異なっていてもよい。
ＨＦＣ梁２０Ｂの梁鉄骨２１への頭付スタッドＳｄの配設の仕方等はＨＦＣ梁２０Ａの場合と同じある。ＨＦＣ梁２０Ｂのコンクリート層２２は、図７に示すように、梁鉄骨２１のウェブ２１ｂの両側のフランジ２１ａの内側の面、ウェブ２１ｂの表面、両方のフランジ２１ａの幅方向の端面を含む平面と平行でウェブ２１ｂ側に少々寄った平面２２ｆ、梁鉄骨２１の長手方向の両方の端面を含む平面により囲まれる空間内にコンクリートを充填して形成される。
ＨＦＣ梁２０Ｃは、その長さがＨＦＣ梁２０Ｂより短いがその構成はＨＦＣ梁２０Ｂと同じである。
なお、平面視が長い矩形の建物の長辺方向の両端のＨＦＣ柱１０Ａ，１０Ｂに接合するＨＦＣ梁２０Ｃは、その短辺の外側に面するコンクリート層２２の表面をフランジ２１ａの幅方向の外側の端面を含む平面と面一にしてある。
【００１８】
ＨＦＣ梁２０Ｂ，２０ＣをＨＦＣ柱１０Ａ，１０Ｂに長ボルト接合する場合は、図１７及び図１８に示すように、ＨＦＣ柱１０Ａ，１０Ｂのコンクリート層１２ｂの梁取付部の下側及び上側に梁受アングル２５Ａの垂直部をそれぞれ当てがい、梁受アングル２５Ａの垂直部のボルト孔及びＨＦＣ柱１０Ａ，１０Ｂの挿通孔１１ｂ１，１２ｂ２に長ボルトＬｂを通し、長ボルトＬｂのねじ部にナットｎをねじ込んで、梁受アングル２５Ａの垂直部をＨＦＣ柱１０Ａ，１０Ｂに固定する。
ＨＦＣ柱１０Ａ，１０Ｂに固定した下側の梁受アングル２５Ａの水平部の上側にＨＦＣ梁２０Ｂ，２０Ｃの端部を載置し、ＨＦＣ梁２０Ｂ，２０Ｃの端部の上方に上側の梁受アングル２５Ｂの水平部を当てがい、この梁受アングル２５Ｂの垂直部のボルト孔及びＨＦＣ柱の挿通孔１１ｂ１，１２ｂ２に長ボルトＬｂを通し、長ボルトＬｂのねじ部にナットｎをねじ込んで、上側の梁受アングル２５の垂直部をＨＦＣ柱に固定するとともに、上側の梁受アングル２５Ｂの水平部のボルト孔、ＨＦＣ梁２０Ｂ，２０Ｃの端部の挿通孔２１ａ２，２２ａ２及び下側の梁受アングル２５Ａの水平部のボルト孔に長ボルトＬｂを通し、長ボルトＬｂのねじ部にナットｎをねじ込んで、ＨＦＣ梁２０Ｂ，２０Ｃの端部を上側及び下側の梁受アングル２５Ａ，２５Ｂに固定する。
ＨＦＣ梁２０ＢのＨＦＣ柱１０Ｃへの固着の仕方は、ＨＦＣ梁２０ＡをＨＦＣ柱１０Ａ，１０Ｂへ長ボルト接合する場合と同じである。
ＨＦＣ柱１０Ｃの両方のフランジにＨＦＣ梁２０Ｂを圧着接合する場合のＨＦＣ梁２０Ｂの端部の構成及びそのＨＦＣ柱１０Ｃへの固着の仕方は、ＨＦＣ梁２０ＡをＨＦＣ柱１０Ａ，１０Ｂへ圧着接合する場合と同じである。
【００１９】
ＨＦＣ梁２０Ａ〜２０Ｃの端部をＨＦＣ柱１０Ａ，１０Ｂのコンクリート層の面に圧着接合する場合には、図２３及び図２４に示すように、ＨＦＣ梁２０Ｂ，２０Ｃの端部から所定の距離はなれた処のウェブ２１ｂの両側にコンクリートのない空部２３を設け、端部よりのコンクリート層２２ａにＨＦＣ梁２０Ｂ，２０Ｃの端面から前記空部２３に通じる緊張材Ｔｄを通す対の挿通孔２２ａ３を設ける。
そして、ＨＦＣ柱１０Ａ，１０Ｂの内側のコンクリート層２２ａの梁取付面にＨＦＣ梁２０Ｂ，２０Ｃの端面をそれらの間にモルタルＭｔを介在させて密着させ、ＨＦＣ梁２０Ｂ，２０Ｃの挿通孔２２ａ３及びＨＦＣ柱１０Ａ，１０Ｂの挿通孔１１ｂ２，１２ｂ４に、緊張材Ｔｄを通して、それらの一方の端部をＨＦＣ梁２０Ｂ，２０Ｃの各空部２３に出し、他方の端部をＨＦＣ柱１０Ａ，１０Ｂの外側に出して、適宜の引張力導入手段にて緊張材Ｔｄに引張力を導入し、導入した引張力を緊張材Ｔｄの端部に嵌めた定着具Ａｄにて保持して、ＨＦＣ梁２０Ｂ，２０Ｃの端面をＨＦＣ柱１０Ａ，１０Ｂの梁取付面に強く圧接した状態を保持し、前記空部２３をモルタル又はコンクリートで満たし、ＨＦＣ梁２０Ｂ，２０ＣをＨＦＣ柱１０Ａ，１０Ｂに接合する。
なお、実施例１では、ＨＦＣ柱１０Ａ，１０Ｂの挿通孔１１ｂ１，１２ｂ２，１１ｂ２，１２ｂ４，は、その挿通孔１１ａ２，１２ｂ１，１１ａ３，１２ｂ３よりＨＦＣ梁２０Ｂ，２０Ｃの成と略同じ寸法だけ高い位置のＨＦＣ柱１０Ａ，１０Ｂのウェブ１１ｂ及びコンクリート層１２ｂに設けられている。
【００２０】
また、建物の長辺方向の両方の端に位置するＨＦＣ柱１０Ａ，１０ＢにＨＦＣ梁２０Ａを圧着接合する場合には、ＨＦＣ柱１０Ａ，１０Ｂの一方のフランジの梁取付面にＨＦＣ梁２０Ａの端面をそれらの間にモルタルを介在させて密着させ、ＨＦＣ梁２０Ａのコンクリート層１２ａの挿通孔２２ａ３及びＨＦＣ柱の挿通孔１１ａ３，１２ｂ３に、緊張材Ｔｄを通して、それらの一方の端部を各空部２３に出して、それらの他方の端部をＨＦＣ柱１０Ａ，１０Ｂの外側に出して、適宜の引張力導入手段にて緊張材Ｔｄに引張力を導入し、導入した引張力を緊張材Ｔｄの端部に嵌めた定着具Ａｄにて保持して、ＨＦＣ梁１０Ａの端面をＨＦＣ柱１０Ａ，１０Ｂの梁取付面に強く圧接した状態を保持し、前記空部２３をモルタル又はコンクリートで満たし、前記ＨＦＣ梁２０Ａを前記ＨＦＣ柱１０Ａ，１０Ｂに接合する。
【００２１】
耐震壁３０は、例えば、図１１及び図１２に示されている構成を有し、縦方向に間隔（例えば、２００ｍｍ）をおいて配した多数の縦鉄筋（例えば、Ｄ１６）３１ａと横方向に間隔（例えば、２００ｍｍ）をおいて配した多数の横鉄筋（例えば、Ｄ１６）３１ｂとを結合してなる格子状鉄筋３１の２枚を間隔をおいて平行に配置し、これらの格子状鉄筋３１，３１の周りに型枠を配置し、型枠内にコンクリート３２を打設して、横断面が長い矩形の厚くて長いプレキャストコンクリート造の板状体として形成される。耐震壁３０の縦方向の寸法は、運搬に適するように、階高寸法、又は階高寸法の２〜３倍程度の長さにする。
耐震壁３０にＨＦＣ梁２０Ｂをボルト接合する場合には、耐震壁３０の梁取付部の下側及び上側に、山形鋼からなる梁受部材３３を固定するために用いるボルトをねじ込む埋込ナットを耐震壁３０の梁取付部の下側及び上側に予め埋設（ボルトの一方の端を埋め込んでもよい）して、耐震壁３０を形成する。
耐震壁３０にＨＦＣ梁２０Ｃを圧着接合する場合には、耐震壁３０の梁取付部に対応する部分に緊張材を通す挿通孔を複数箇設けて耐震壁を形成する。そして耐震壁３０の各挿通孔とＨＦＣ梁２０Ｃの各挿通孔２２ａ３に緊張材をそれぞれ通し、それらの緊張材に引張力を導入し、導入した引張力を定着具にて保持して、ＨＦＣ梁１０Ｃを耐震壁３０に接合する。
【００２２】
耐震壁３０の側面の床板取付部には、床板４１の端部４１ａを挿入する水平方向の溝を形成しておくか、或は、図１１及び図１２に示すように、床板取付部に山形鋼又は溝形鋼からなる床板受部材３４を適宜の接合手段、例えば、ボルト接合にて耐震壁３０の側面に接合する。
下側の耐震壁３０の上端に上側の耐震壁３０の下端を接合する場合には、例えば、下側のＨＦＣ柱１０Ａ，１０Ｂの上端に上側のＨＦＣ柱１０Ａ，１０Ｂの下端を接合する場合のやり方、すなわち、図１３及び図１４に示す長ボルト接合又は図１９及び図２０に示す圧着接合と同様のやり方にて行なうが、それ以外のやり方で接合してもよい。
なお、圧着接合する場合には、必要に応じて、ＨＦＣ柱１０Ａ〜１０Ｃの空部１３内及びＨＦＣ梁２０Ａ〜２０Ｃの空部２３内に、ウェブ１１ｂ，２１ｂに立設した多数本の頭付スタッドＳｄのうちの少なくとも１本の少なくともその頭部が位置するようにする。
【００２３】
次に、図１及び図２に示す多層の集合住宅の構築の仕方を説明する。
図２に示すよに、集合住宅が構築される箇所の地盤中に多数のコンクリート造の現場打ち杭１を構築し、地表面ＧＬから所定の深さのところに杭頭と一体にコンクリート造の平らな基盤２を構築し、この基盤２の上側に基礎２との間に隙間をあけて、基礎梁等からなる鉄筋コンクリート造の下部支持躯体４を構築する。そして、基盤２の上側の多数の設置部２ａと下部支持躯体４の下側の前記設置部２ａに対応する受け部４ａとの間に免震装置３をそれぞれ配し、免震手段３の下側を設置部２ａに取り付け、免震手段３の上側を各受け部４ａに取り付ける。免震装置３としては、積層ゴム等からなる免震装置、滑り支承体を使う免震装置等を用いる。
下部支持躯体４の柱及び耐震壁の樹立位置には、鉛直方向の凹部４ａ，４ｂがそれぞれ設けられ、各凹部４ａ内にＨＦＣ柱１０Ａ〜１０Ｃ及び耐震壁３０の下部を差し込み、それらの下部と凹部４ａの内周面との間の隙間にモルタル又はコンクリートを充填して、下部支持躯体４の所定位置にＨＦＣ柱及び耐震壁を樹立する。
【００２４】
建物の平面視が長い矩形の一方の長辺に沿って同じ間隔をおいて多数本の第１ＨＦＣ柱１０Ａを樹立し、他方の長辺に沿って同じ間隔をおいて多数本の第２ＨＦＣ柱１０Ｂを樹立し、第１ＨＦＣ柱１０Ａと第２ＨＦＣ柱１０Ｂの中間には、第３ＨＦＣ柱１０Ｃ又は耐震壁３０を樹立する。
各ＨＦＣ柱１０Ａ，１０Ｂは、その柱鉄骨１１のフランジ１１ａ面が建物の平面視が長い矩形の短辺に平行になるように配置し、各ＨＦＣ柱１０Ｃは、その柱鉄骨１１のフランジ１１ａ面が建物の前記矩形の長辺に平行になるように配置する。
建物の前記矩形の長辺の両端においては、第１ＨＦＣ柱１０Ａと第２ＨＦＣ柱１０Ｂとの間には、通常は耐震壁３０を配置するが、耐震壁３０の代わりにＨＦＣ柱１０Ｃを配置してもよい。
また、建物の前記矩形の長辺の両端以外の第１ＨＦＣ柱１０Ａと第２ＨＦＣ柱１０Ｂとの間においても、第１ＨＦＣ柱１０Ａ列の１本又は複数本おいた第１ＨＦＣ柱１０Ａとこけに対向する第２ＨＦＣ柱１０Ｂと間にも耐震壁３０を配置する。耐震壁３０を配置しない第１ＨＦＣ柱１０Ａと第２ＨＦＣ柱１０Ｂとの間には、通常はＨＦＣ柱１０Ｃを配置する
実施例１では、下部支持躯体４上に、例えば、プレキャストコンクリート造の床板を配置して、１階の床を形成する。
【００２５】
各ＨＦＣ柱１０Ａ，１０Ｂの２階の梁取付部間に、ＨＦＣ梁２０Ａをそれぞれ配し、それらの端部を、前述した長ボルト接合又は圧着接合にて、各ＨＦＣ柱１０Ａ，１０Ｂに接合する。
ＨＦＣ柱１０Ａ，１０Ｂの２階の梁取付部と、耐震壁３０の２階の梁取付部との間にＨＦＣ梁２０Ｃをそれぞれ配し、それらのＨＦＣ梁２０Ｃの端部を前述した長ボルト接合又は圧着接合にて各ＨＦＣ柱１０Ａ，１０Ｂ及び耐震壁３０に接合する。
各ＨＦＣ柱１０Ａ，１０Ｂの２階の内側の梁取付部と、各ＨＦＣ柱１０Ｃの２階の両側の梁取付部との間にＨＦＣ梁２０Ｂをそれぞれ配し、それらのＨＦＣ梁２０Ｂの端部を前述した長ボルト接合又は圧着接合にて各ＨＦＣ柱１０Ａ〜１０Ｃに接合する。
第１実施例では、各ＨＦＣ柱１０Ａ，１０ＢへのＨＦＣ梁２０Ｂ，２０Ｃの取付位置は、各ＨＦＣ柱１０Ａ，１０ＢへのＨＦＣ梁２０Ａの取付位置よりも、ＨＦＣ梁２０Ｂ，２０Ｃの成と略同じ寸法だけ高い位置になっている。
【００２６】
２階のＨＦＣ梁２０ＢとＨＦＣ梁２０Ｃと間、２階のＨＦＣ梁２０ＢとＨＦＣ梁２０Ｂと間、２階のＨＦＣ梁２０Ｂと耐震壁３０の床板取付部との間に、図１０に示すようなプレキャストコンクリート造の床板４１を配し、床板４１の両方の端部４１ａをＨＦＣ梁２０Ｂ，２０Ｃの梁鉄骨２１の下側のフランジ２１ａの幅方向の端よりの部分の上面又は耐震壁３０に固着した床板受部材３４の上面にて支持する。
それから、図９図及び１０に示すように、床板４１の上側に格子状のスラブ鉄筋４２を配し、スラブ鉄筋４２を梁鉄骨２１の上側のフランジ２１ａに固着し、床板４１の上側にコンクリート４３を打設して、２階の床スラブ４０を形成する。
なお、床板４１には、そのコンクリート部４１ａにその幅方向に間隔をおいて互いに平行な長手方向に延びる多数の開口部４１ｂが形成され、そのコンクリート部４１ａの下側の部分に幅方向に間隔をおいて長手方向に延びる多数本のＰＣ鋼材４１ｃが埋め込まれ、それらのＰＣ鋼材４１ｃに引張力を導入することにより床板４１にプレストレスが導入されている。
コンクリート４３を打設する際に、床板４１の端面と、ＨＦＣ梁２０Ｂ，２０Ｃ等のコンクリート層２２の表面、フランジ２１ａの表面等との間の隙間にもコンクリートを充填し、床板４１がＨＦＣ梁に対して移動できないようにする。
【００２７】
上記と同様のやり方にて、各ＨＦＣ柱１０Ａ，１０Ｂの３階の梁取付部間に配したＨＦＣ梁２０Ａを、前述した長ボルト接合又は圧着接合にて、各ＨＦＣ柱に接合し、各ＨＦＣ柱１０Ａ，１０Ｂの３階の梁取付部と耐震壁３０の３階の梁取付部との間にＨＦＣ梁２０Ｃを配したＨＦＣ梁２０Ｃを、前述した長ボルト接合又は圧着接合にて、各ＨＦＣ柱及び耐震壁に接合し、各ＨＦＣ柱１０Ａ，１０Ｂの３階の内側の梁取付部と各ＨＦＣ柱１０Ｃの３階の両側の梁取付部との間に配したＨＦＣ梁２０Ｂを、前述した長ボルト接合又は圧着接合にて、各ＨＦＣ柱に接合する。そして、３階のＨＦＣ梁２０ＢとＨＦＣ梁２０Ｃと間、３階のＨＦＣ梁２０Ｂ間、３階のＨＦＣ梁２０Ｂと耐震壁３０の床板受部材３４との間に床板４１を配して、３階の床スラブ４０を形成する。
そして、下側のＨＦＣ柱１０Ａ〜１０Ｃの上端に上側のＨＦＣ柱１０Ａ〜１０Ｃを、前述した長ボルト接合又は圧着接合にて接合して継ぎ足し、下側の耐震壁３０の上端に上側の耐震壁３０を、前述した長ボルト接合又は圧着接合にて継ぎ足し、上記と同様のやり方にて更に上層の階を構築し、例えば、９階の集合住宅の建物躯体を構築する。
例えば、長辺方向の１スパンを７．２ｍとし、短辺方向の１スパンを７．２５ｍとし、一戸当たりの占有空間を、長辺方向の２スパンと短辺方向の２スパンとで区切られる空間とし、図１に示すように、長辺方向の一方の辺に沿って部分をバルコニー５１とし、他方の辺に沿って部分を廊下５２とするために、長辺に沿ってそれぞれ壁５３，５４を設ける。また、建物の短辺に沿って配置したＨＦＣ柱１０Ａ，１０Ｂと耐震壁３０とを連結する各ＨＦＣ梁１０Ｃの外側には、それぞれ壁５５を設ける。
【００２８】
実施例２は、図２５〜図２８に示され、この発明を多層の集合住宅に適用した例である。
ＨＦＣ柱１０Ａ〜１０Ｃ、ＨＦＣ梁２０Ａ〜２０Ｃ及び耐震壁３０の構成、スラブ４０の形成の仕方等は実施例１と同じであるが、例えば、一戸当たりの占有空間の中央には第３ＨＦＣ柱１０Ｃを設けないようにする点と、このＨＦＣ柱１０Ｃを設けない処の上側に、実施例１で用いたＨＦＣ梁２０Ｂに替えて、ＨＦＣ梁２０Ｄを配置する点が実施例１のものと相違している。
ＨＦＣ梁２０Ｄとしては、プレストレスを導入したアンボンドＰＣプレキャストＨＦＣ梁２０Ｄを用いる。その端部はＨＦＣ柱１０Ａ，１０Ｂのコンクリート層の面（弱軸方向の面）に接合する。この場合は，梁成やたわみに対する十分な配慮が必要である。
ＨＦＣ梁２０Ｄの長さは、ＨＦＣ梁２０Ｂの長さの２倍にＨＦＣ柱１０Ｃの柱鉄骨２１の成を加えた寸法であり、頭付スタッドＳｄやコンクリート層２２の配置は、ＨＦＣ梁２０Ａ〜２０Ｃと同じであるが、ＨＦＣ梁２０Ｄでは、長い緊張材Ｔｄ１を、梁鉄骨２１のウェブ２１ｂの両側のコンクリート層２２中に、その両方の端をコンクリート層の長手方向の端面から出しかつコンクリートに接着しない状態にして、それぞれ埋め込み、各緊張材Ｔｄ１に引張力を導入し、導入した引張力を緊張材Ｔｄ１の端部に嵌めた定着具Ａｄ１にて保持して、梁鉄骨２１及びコンクリート層２２にプレストレスを導入して、製作されている。
【００２９】
第１ＨＦＣ柱１０Ａと第２ＨＦＣ柱１０Ｂとの間に、ＨＦＣ梁２０Ｄを配し、ＨＦＣ梁２０Ｄの両端を、前述した長ボルト接合又は圧着接合にて、各ＨＦＣ柱１０Ａ，１０Ｂに着脱可能に接合する。
ＨＦＣ梁１０ＤをＨＦＣ柱１０Ａ，１０Ｂに圧着接合する場合に、例えば、図２８に示すように、前記各緊張材Ｔｄ１の両方の端部よりの部分をＨＦＣ柱１０Ａ，１０Ｂに設けておいた挿通孔に通してＨＦＣ柱１０Ａ，１０Ｂの外側に出し、他の圧着接合用の緊張材ＴｄをＨＦＣ梁１０Ｄの端部よりのコンクリート層の部分の挿通孔及びＨＦＣ柱１０Ａ，１０Ｂに設けた挿通孔に通してＨＦＣ柱１０Ａ，１０Ｂの外側に出し、緊張材Ｔｄに引張力を導入し、導入した引張力をＨＦＣ柱１０Ａ，１０Ｂの外側に配した定着具Ａｄにて保持してから、ＨＦＣ梁１０Ｄの端部から所定距離はなれた処の空部をコンクリートで満たし、このコンクリートが硬化してから、緊張材Ｔｄ１に引張力を導入し、その導入した引張力をＨＦＣ柱１０Ａ，１０Ｂの外側に配した定着具Ａｄ１にて保持するようにすると、緊張材Ｔｄ１を圧着接合とＨＦＣ梁１０Ｄのプレストレス化とに兼用することができる。
実施例２では、一戸当たりの占有空間の中央に第３ＨＦＣ柱１０Ｃを設けないようにすることができるから、前記占有空間内において所望の広さの空間をつくることができる。
なお、実施例２において、ＨＦＣ梁２０Ｄの中央部の上側に上階のＨＦＣ柱１０Ｃがある場合は、ＨＦＣ梁２０Ｄの中央部を上階のＨＦＣ柱１０Ｃの下端に連結する。
【００３０】
実施例３は、図２９〜図３２に示され、この発明を多層の集合住宅に適用した例である。
ＨＦＣ柱１０Ａ〜１０Ｃ、ＨＦＣ梁２０Ａ及び耐震壁３０の構成、ＨＦＣ柱１０Ａ，１０ＢとＨＦＣ梁２０Ａとの接合の仕方等は実施例１と同じであるが、結果としてＨＦＣ梁となる第２梁鉄骨２０Ｅ及び第３梁鉄骨２０Ｆ、梁鉄骨２０Ｅ，２０ＦとＨＦＣ柱１０Ａ〜１０Ｃ又は耐震壁３０と接合の仕方、及びスラブの形成の仕方等が実施例１のものと少々相違している。
梁鉄骨２０Ｅ，２０Ｆとしては、図３１に示すように、実施例１のＨＦＣ梁２０Ｂ，２０Ｃの梁鉄骨２１と同じ構成のものを用いる。
例えば、ＨＦＣ柱１０Ａ〜１０Ｃの柱鉄骨にはＨ−４５８×４１７×３０×５０を用い、ＨＦＣ梁２０Ａの梁鉄骨にはＨ−４００×４００×１３×２１を用い、梁鉄骨２０Ｅ，２０ＦにはＨ−３００×３００×１０×１５を用い、ＨＦＣ柱１０Ａ〜１０Ｃ及びＨＦＣ梁２０Ａのコンクリート層にはＦｃ４２を用いる。
【００３１】
次に、図２９及び図３０に示す多層の集合住宅の構築の仕方を説明する。
図２９に示すよに、現場打ち杭１、基盤２、下部支持躯体４、免震装置３の設置の仕方等は実施例１と概ね同じである。
下部躯体４のＨＦＣ柱又は耐震壁の樹立位置の凹部内にＨＦＣ柱１０Ａ〜１０Ｃ及び耐震壁３０の下部を差し込み、それらの下部と凹部４ａの内周面との間の隙間にモルタル又はコンクリートを充填して、各ＨＦＣ柱及び耐震壁を樹立する。
建物の平面視が長い矩形の両方の長辺に沿って一定の間隔で配置した多数（図示例では一長辺あたり１０本）の第１ＨＦＣ柱１０Ａ及び第１ＨＦＣ柱１０Ｂは、その柱鉄骨１１のフランジ１１ａ面が建物の短辺と平行になるように配置され、第１ＨＦＣ柱１０Ａと第２ＨＦＣ柱１０Ｂとの中間に配置した多数（図示例では６本）の第３ＨＦＣ柱１０Ｃは、その柱鉄骨１１のフランジ１１ａ面が建物の長辺と平行になるように配置される。
図示例では、前記矩形の一方の長辺に沿って配置した第１ＨＦＣ柱１０Ａ列の１番目、第４番目、７番目及び１０番目の第１ＨＦＣ柱１０Ａと、これらと対向する他方の長辺に沿って配置した第２ＨＦＣ柱１０Ｂ列の１番目、第４番目、７番目及び１０番目の第２ＨＦＣ柱１０Ｂとの間に、耐震壁３０がそれぞれ配置され、各耐震壁３０はそれらの広い表面が前記矩形の短辺と平行になるように配置され、前記第１ＨＦＣ柱１０Ａ列の２番目、３番目、第５番目、第６番目、８番目及び９番目の第１ＨＦＣ柱１０Ａと、第２ＨＦＣ柱１０Ｂ列の２番目、３番目、第５番目、第６番目、８番目及び９番目の第２ＨＦＣ柱１０Ｂとの間に、第３ＨＦＣ柱１０Ｃが配置されている。１階の床は実施例１の１階の床と同じやり方で形成される。
【００３２】
建物の各ＨＦＣ柱１０Ａ，１０Ｂの２階の梁取付部間に第１ＨＦＣ梁２０Ａをそれぞれ配し、それらのを前述した長ボルト接合又は圧着接合にて各ＨＦＣ柱に接合する。
各耐震壁３０の２階の梁取付部とこれらに対向する各第１ＨＦＣ柱１０Ａ及び各第２ＨＦＣ柱１０Ｂの２階の梁取付部と間に第３梁鉄骨２０Ｆをそれぞれ配し、それらの端部を、例えば、長ボルト接合にて、各ＨＦＣ柱及び耐震壁の梁取付部に着脱可能に接合する。
各第３ＨＦＣ柱１０Ｃの２階の梁取付部とこれらに対向する第１ＨＦＣ柱１０Ａ及び第２ＨＦＣ柱１０Ｂの２階の梁取付部との間に、第２梁鉄骨２０Ｅをそれぞれ配し、それらを、例えば、長ボルト接合にて、各ＨＦＣ柱１０Ａ〜１０Ｃに着脱可能に接合する。
上記のように長ボルト接合する場合には、その幹部にコンクリートの付着を防ぐアンボンド処理を施した長ボルトを使い、第２及び第３梁鉄骨２０Ｅ，２０ＦをＨＦＣ梁化した後でも、着脱可能とする。
各ＨＦＣ柱１０Ａ，１０Ｂへの第２梁鉄骨２０Ｅ又は第３梁鉄骨２０Ｆの取付位置は、実施例１と同様に各ＨＦＣ柱１０Ａへの第１ＨＦＣ梁２０Ａの取付位置よりも、梁鉄骨梁２０Ｅ，２０Ｆの成と略同じ寸法だけ高い位置にするが、各ＨＦＣ柱１０Ａ，１０ＢへのＨＦＣ梁２０Ａの取付位置と各ＨＦＣ柱１０Ａ，１０Ｂへの梁鉄骨２０Ｅ又は２０Ｆの取付位置とを同じレベルしてもよい。
【００３３】
２階の第２梁鉄骨２０Ｅと第３梁鉄骨２０Ｆとの間、２階の第２梁鉄骨２０Ｅ間、２階の第２ＨＦＣ梁２０Ｅとこれに対応する耐震壁３０の床板受け部とに間に、図３２に示すように、プレキャストコンクリート造の床板４１を配し、床板４１の両方の端部４１ａを梁鉄骨２０Ｅ，２０Ｆの下側のフランジ２１ａの上面又は耐震壁３０の床板受部材３４の支持面にて支持する。
それから、図３１に示すように、床板４１の上側に格子状のスラブ鉄筋４２を配し、スラブ鉄筋４２を梁鉄骨２０Ｅ，２０Ｆの上側のフランジ２１ａに固着し、床板４１の上側にコンクリート４３を打設して、２階の床スラブ４０を形成する。
コンクリート２３を打設する際に、床板４１の端部と梁鉄骨２０Ｅ，２０Ｆのフランジ２１ａの内側面及びウェブ２１ｂの表面との間の隙間にコンクリートを充填し、床板４１が鉄骨梁２０Ｅ，２０Ｆに対して移動できないようにするとともに、梁鉄骨２０Ｅ，２０Ｆを、Ｈ形鋼の梁鉄骨とそのフランジ間にあって梁鉄骨に多数の頭付スタッドＳｄを介して付着したコンクリート層２２とで構成されたＨＦＣ梁とする。
【００３４】
上記と同様のやり方にて、各ＨＦＣ柱１０Ａ，１０Ｂの３階の梁取付部間にそれぞれ配した第１ＨＦＣ梁２０Ａを、前述した長ボルト接合又は圧着接合にて、各ＨＦＣ柱に着脱可能に接合し、各ＨＦＣ柱１０Ａ，１０Ｂの３階の梁取付部と耐震壁３０の３階の梁取付部材との間にそれぞれ配した鉄骨梁２０Ｆを、例えば、長ボルト接合にて、各ＨＦＣ柱及び耐震壁に着脱可能に接合し、各ＨＦＣ柱１０Ｃの３階の両側の梁取付部と各ＨＦＣ柱１０Ａ，１０Ｂの３階の内側の梁取付部との間にそれぞれ配した梁鉄骨２０Ｅを、例えば、長ボルト接合にて、各ＨＦＣ柱に着脱可能に接合する。
そして、３階の梁鉄骨２０Ｅと梁鉄骨２０Ｆとの間、３階の梁鉄骨２０Ｅ間、３階のＨＦＣ梁２０Ｅとこれに対応する耐震壁３０の床板受け部との間に、プレキャストコンクリート造の床板４１を配して、前記と同様のやり方にて３階の床スラブ４０を形成する。
そして、下側のＨＦＣ柱１０Ａ〜１０Ｃの上に上側のＨＦＣ柱１０Ａ〜１０Ｃを前述した長ボルト接合又は圧着接合にて接合して継ぎ足し、下側の耐震壁３０の上に上側の耐震壁３０を前述した長ボルト接合又は圧着接合にて接合して継ぎ足し、上記と同様のやり方にて更に上層階の建物躯体を構築し、９階の集合住宅の建物躯体を構築する。
なお、各ＨＦＣ柱の各節の長さは、図示例では、第１節の各ＨＦＣ柱１０Ａ〜１０Ｃが階高寸法の２．５倍に凹部への差込長さを加えた寸法、第２節及び第３節の各ＨＦＣ柱が階高寸法の２倍の寸法、第４節の各ＨＦＣ柱が階高寸法の略２．５倍の寸法になっている。
長辺方向の１スパンの寸法、短辺方向の１スパンの寸法は、実施例１と同じにし、実施例１と同様に、長辺方向の一方の辺に沿って部分をバルコニーとし、他方の辺に沿って部分を廊下とするために、長辺方向にそれぞれ壁を設ける。
【００３５】
実施例４は、図３３及び図３４に示され、この発明を多層の集合住宅に適用した例であり、ＨＦＣ柱、ＨＦＣ梁及び耐震壁の構成、ＨＦＣ柱とＨＦＣ梁との接合の仕方等は実施例３と同じであるが、床スラブの形成の仕方が実施例３のものと少々相違している。
図３３に示すように、実施例３のＨ形鋼の鉄骨梁２０Ｅ，２０Ｆとこれと平行に設けられたＨ形鋼の鉄骨梁と間に、例えば、下部４１ｄ１がコンクリート中に埋め込まれ上部４１ｄ２が畝状又は凸状にコンクリート層の上面から突出するようになっいるトラス状の部分のある鉄筋４１ｄを備えたプレキャストコンクリート造の床板４１Ａを配して、床板４１Ａの端部を鉄骨梁２０Ｅ，２０Ｆの下側のフランジ２１ａの上面で支持し、各床板４１Ａの上側に格子状のスラブ鉄筋４２を配し、スラブ鉄筋４２を梁鉄骨２０Ｅ，２０Ｆの上側のフランジ２１ａに固着し、床板４１Ａの上側及び床板４１Ａと鉄骨梁との間の隙間にコンクリート４３を打設して、床スラブ４０Ａを形成する。
成の大きい鉄骨梁２０Ｅ，２０Ｆを使う場合には、図３４に示すように、鉄骨梁２０Ｅ，２０Ｆの下側のフランジ２１ａの上側面上に、例えば、プレキャストコンクリート造の長い間隔保持部材Ｓｌを配し、必要に応じて、間隔保持部材Ｓｌをフランジ２１ａの上側面に固着し、床板４１Ａの端部を前記間隔保持部材Ｓｌの上側面で支持して、床板４１上に形成する現場打ちコンクリート層の厚さが所望の厚さになるようにする。コンクリート層の形成の仕方は、図３３に示す場合と同じである。
鉄骨梁２０Ｅ，２０Ｆとしては、例えば、図３１に示されているようなＨ形鋼のウェブの両側の略全域にわたって多数本の頭付スタッドを間隔をおいて立設した梁鉄骨、又は図８に示されているようなＨ形鋼の上側及び下側のフランジの内側面にフランジの長手方向の略全域にわたって延在するように異形棒鋼を配して該異形棒鋼をフランジの内側面に溶接にて固定した梁鉄骨を用いる。
なお、図３４に示すＨ型鋼の鉄骨梁の下側のフランジの上側面上に、間隔保持部材Ｓｌを載設し、床板の端部を間隔保持部材Ｓｌの上側面で支持し、床板を鉄骨梁の下側のフランジの上側面よりも高い位置に支持する支持方法は、実施例１において、床板４１を第２ＨＦＣ梁２０Ｅ、第３ＨＦＣ梁２０Ｆ及び耐震壁３０に支持させる場合にも適用することができる。
【００３６】
実施例５は、図３５〜図３８に示され、この発明を多層の集合住宅に適用した例である。図１１及び図１２に示す耐震壁３０の代わりに、図３５〜図３８に示す耐震ブレース壁架構３０Ａを用いる点が実施例３と相違している。
耐震ブレース壁架構３０Ａは、例えば、次のように製作される。
中央部の鋼製のガセット板３５ａにてＨ形鋼のブレース部材３５ｂ，３５ｂ，３５ｃ，３５ｃをＸ字状に互いに結合してＸ形ブレース３５を製作する。階高寸法の略２倍の長さのＨ形鋼からなる対の縦材３６，３６を同じ平面上に一定の間隔をおいて平行に配置し、各縦材３６の前側のフランジの上部及び中央部にそれぞれ鋼製のガセット板３７Ａを配置し、上部の各ガセット板３７Ａの下側の縦材の取付部３７ｂを縦材３６の上部の前側のフランジにボルト・ナットｂ・ｎにて固定し、中央部の各ガセット板３７Ａの上側及び下側の縦材の取付部３７ａ，３７ｂを縦材３６，３６の中央部の前側のフランジにボルト・ナットｂ・ｎにて固定する。縦材３６，３６の上半分間に上側のＸ形ブレース３５を配し、上側のＸ形ブレース３５の上側のブレース部材３５ｂ，３５ｂの外方の端部を、上部の各ガセット板３７Ａの下側の取付部３７ｄにボルト・ナットｂ・ｎにて固定し、上側のＸ形ブレース３５の下側のブレース部材３５ｃ，３５ｃの外方の端部を、中央部のガセット板３７Ａの上側の取付部３７ｃにボルト・ナットｂ・ｎにて固定する。縦材３６，３６の下半分間に下側のＸ形ブレース３５を配し、下側のＸ形ブレース３６の上側のブレース部材３６ｂ，３６ｂの外方の端部を、中央部の各ガセット板３７Ａの下側の取付部３７ｄにボルト・ナットｂ・ｎにて固定する。
【００３７】
上部及び中央部のガセット板３７Ａ間に第４の鉄骨梁となるＨ形鋼の鉄骨梁３８をそれぞれ配し、各鉄骨梁３８の端部のウェブの部分を中央部のガセット板３７Ａの内側の梁取付部３７ｅにボルト・ナットｂ・ｎにて固定する。さらに、各縦材３６の後側のフランジの上部及び中央部にも前記ガセット板３７Ａに対応させて鋼製のガセット板３７Ｂをそれぞれ配し、各ガセット板３７Ｂを上記ガセット板３７Ａと同じやり方で、各縦材３６、上側のＸ形ブレース３５の上側及び下側のブレース部材３５ｂ，３５ｃ又は下側のＸ形ブレース３５の上側のブレース部材３５ｂに固着して、耐震ブレース壁架構３０Ａが製作される。
なお、耐震ブレース壁架構３０Ａの上部及び中央部のガセット板３７Ａの外側には梁取付部３７ｆがそれぞれ設けられている。この梁取付部３７ｆには、例えば、実施例３のＨ形鋼の第３鉄骨梁２０Ｆの端部のウェブの部分をボルト・ナットｂ・ｎにて固定することにより、第３鉄骨梁２０Ｆを耐震ブレース壁架構３０Ａの縦材３６，３６に固着するようになっている。なお、ガセット板３７Ｂは、ガセット板３７Ａの外側の梁取付部３７ｆ及び内側の梁取付部３７ｅを欠いているものであってもよい。
【００３８】
耐震ブレース壁架構３０Ａを使って実施例３の図２９及び図３０に示されている多層の集合住宅を建築する場合は、例えば、次のようにする。
図３０に示す下部躯体４の耐震壁の樹立位置の凹部内の両端部に、前記ガセット板３７Ａ，３７Ｂと同様に縦材３６の取付部とブレース部材３５ｃの取付部とを備えた対のガセット板をそれぞれ埋め込んで固定しておき、それらの対のガセット板に対応させて第１節の耐震ブレース壁架構３０Ａを立て、それらの対のガセット板の各取付部に第１節の耐震ブレー壁ス架構３０Ａの縦材３６の下部及び下側のＸ形ブレース３５の下側のブレース部材３５ｃをボルト・ナットを使って固定する。耐震ブレース架構３０Ａの中央部のガセット板３７Ａの外側の梁取付部３７ｆに、２階の第３鉄骨梁２０Ｆの端部のウェブの部分をボルト・ナットを使って固定し、耐震ブレース壁架構３０Ａの上部のガセット板３７Ａの外側の梁取付部３７ｆに、３階の第３鉄骨梁２０Ｆの端部のウェブの部分をボルト・ナットを使って固定する。
それから、第１節の耐震ブレース壁架構３０Ａの上端のガセット板３７Ａ，３７Ｂ間に第２節の耐震ブレース壁架構３０Ａの縦材３６の下端部を立てて配置し、第１節の耐震ブレース壁架構３０Ａの上部の各ガセット板３７Ａ，３７Ｂの上側の取付部３７ａ，３７ｃに第２節の耐震ブレース壁架構３０Ａの縦材３６の下部及び第２節の下側のＸ形ブレース３５の下側のブレース部材３５ｃの外方の端部をボルト・ナットを使って固定する。上記と同様のやり方で、第２節の耐震ブレース壁架構３０Ａのガセット板３７Ａの外側の梁取付部３７ｆに、第４階及び第５階の第３鉄骨梁２０Ｆを取り付ける。
耐震ブレース壁架構３０Ａの鉄骨梁３８は、縦材３６と縦材３６間とを水平方向に連結する部材であるだけでなく、図１１及び図１２に示す耐震壁３０の床板受部材３４と同様な機能を果たすものである。耐震ブレース壁架構３０Ａの鉄骨梁３８の下側のフランジの上面で直接に実施例３の床板４１又は実施例４の床板４１Ａの端部を支持し、或はＨ形鋼梁３８の下側のフランジの上側面上に図３４に示す間隔保持部材Ｓｌを載設する場合には、該間隔保持部材Ｓｌの上側面で床板４１，床板４１Ａの端部を支持して、床板４１，４１Ａの上側にコンクリートスラブ４０，４０Ａを形成するようにする。その他の多層の集合住宅の建築の仕方は実施例３と同じである。
なお、耐震ブレース壁架構３０Ａは、そのＸ形ブレース３５の両側に適当な板材等を取り付けて仕切壁又は外壁とする。
実施例５の耐震ブレース壁架構３０Ａは、実施例１又は２において、その耐震壁３０の代わりに使用できるものである。
【００３９】
各実施例におけるＨＦＣ柱同士、耐震壁同士、ＨＦＣ柱とＨＦＣ梁又は梁鉄骨又は耐震壁との間の長ボルト接合部は、長ボルトのねじ部からナットを外して長ボルトを抜くことにより、容易にその接合を解くことができる。
各実施例におけるＨＦＣ柱同士、耐震壁同士、ＨＦＣ柱とＨＦＣ梁又は梁鉄骨又は耐震壁との間の圧着接合部は、圧着に使っている緊張材を切断するか、又はその緊張材の定着具を外すことにより、容易にその圧着接合を解くことができる。定着具がコンクリート中に埋まっている場合には、そのコンクリートを壊して定着具を外す。
【００４０】
【発明の効果】
この発明は、特許請求の範囲の各請求項に記載した要件を備えることにより、次の（イ）〜（ヲ）の効果を奏する。
（イ）請求項１の中高層建造物は、次の（１）〜（４）の効果を奏する。
（１）地盤中に構築された基礎の上側に前記基礎との間に隙間をあけて下部支持基体が構築され、基礎と下部支持基体との間の多数の箇所に免震手段が配置され、下部支持基体上にＨＦＣ柱、耐震壁又は耐震ブレース壁架構、ＨＦＣ梁、床スラブ等からなる平面視が長辺と短辺からなる長い矩形の上部多層躯体が構築されているから、建造物の上部多層躯体に入ってくる地震力を大幅に低減させることができ、上部多層躯体をＨＦＣ柱、ＨＦＣ梁等を使ってスリムに構築しても、地震力に充分に耐えることができる。
（２）建造物を構成する少なくとも第１ＨＦＣ柱乃至第３ＨＦＣ柱及び第１ＨＦＣ梁が、Ｈ形鋼の柱鉄骨とそのフランジ間にのみあって鉄骨に付着したコンクリート層とで構成されているものであるから、柱及び梁の占有空間を増大させることなく、その強度、剛性及び耐火性能を高めることができる。
（３）第２ＨＦＣ梁又は第２梁鉄骨と第３ＨＦＣ梁又は第３梁鉄骨との間、又は第２ＨＦＣ梁又は第２梁鉄骨と耐震壁又は耐震ブレース壁架構との間に、プレキャストされた床板がそれぞれ配され、各床板の端部が、第２ＨＦＣ梁の梁鉄骨、第３ＨＦＣ梁の梁鉄骨、第２梁鉄骨又は第３梁鉄骨の下側のフランジの上面或いは耐震壁又は耐震ブレース壁架構の床板受け部の支持面で直接支持され、或いは前記上面又は前記支持面上に載設した間隔保持部材を介して支持され、各床板又は各床板上に設けられた床形成材により床スラブが形成されるから、上記ＨＦＣ梁又は梁鉄骨がスラブの下側に張り出す量が少なく、室内に梁型が出ないか又は少ししか出ない極めて快適な住空間を提供できる。
【００４１】
（ロ）請求項２の中高層建造物は、前記（１）〜（３）の効果のほかに、次の（４）及び（５）の効果を奏する。
（４）第１及び第２ＨＦＣ柱の柱鉄骨のフランジ面が建造物の平面視が長い矩形の短辺と平行になり、第３ＨＦＣ柱の柱鉄骨のフランジ面が前記矩形の長辺と平行になるように配置されているから、第１乃至第３ＨＦＣ柱が力のかかる方向に応じて、強軸方向（フランジ面に直角な方向）と弱軸方向（フランジ面に平行な方向）とがあっても、その方向による強度差を補うことができ、平面視が長い矩形の中高層建造物を少ない経費で所望の耐力を有するものとすることができる。
（５）第１ＨＦＣ梁が着脱可能な接合手段により第１ＨＦＣ柱及び第２ＨＦＣ柱に接合され、第２ＨＦＣ梁が着脱可能な接合手段により第１乃至第３ＨＦＣ柱に接合され、第３ＨＦＣ梁が着脱可能な接合手段により耐震壁又は耐震ブレース壁架構及び第１又は第２ＨＦＣ柱に接合されているから、建築する際には施工性がよくなり、解体する際には解体が容易になり、解体した後には、ＨＦＣ柱、ＨＦＣ梁等を再利用することができ、資源の再利用（リサイクル）、廃棄物及びエネルギーの削減が可能となる。
（ハ）請求項３の中高層建造物は、前記（１）〜（４）の効果のほかに、次の（６）の効果を奏する。
（６）第１ＨＦＣ梁が着脱可能な接合手段により第１ＨＦＣ柱及び第２ＨＦＣ柱に接合され、第２梁鉄骨が着脱可能な接合手段により第１乃至第３ＨＦＣ柱に接合され、第３梁鉄骨が着脱可能な接合手段により耐震壁又は耐震ブレース壁架構及び第１又は第２ＨＦＣ柱に接合されているから、建築の際には施工性がよくなり、解体の際には解体が容易であり、解体の後は、ＨＦＣ柱、ＨＦＣ梁等を再利用することができ、資源の再利用（リサイクル）、廃棄物及びエネルギーの削減が可能となる。
【００４２】
（ニ）請求項４の中高層建造物は、前記（１）〜（４）の効果のほかに、次の（７）の効果を奏する。
（７）所望の層の所望の箇所の第１ＨＦＣ柱とこれに対向する第２ＨＦＣ柱との中間に第３ＨＦＣ柱を設けないようにする場合には、前記箇所に対応する前記層の上側の第２ＨＦＣ梁又は第２梁鉄骨の代わりに、長い第４ＨＦＣ梁が前記箇所に対応する前記層の上側の第１ＨＦＣ柱と第２ＨＦＣ柱との間に配され、第４ＨＦＣ梁が着脱可能な接合手段により第１ＨＦＣ柱と第２ＨＦＣ柱の梁取付部に接合され、第４ＨＦＣ梁のコンクリート層中に複数本の緊張材が梁の長手方向に延在させてコンクリートに付着しないように埋め込まれ、各緊張材に引張力が導入されて第４ＨＦＣ梁にプレストレスが付与されている状態にされているから、居住者のニーズの変化や社会環境の変化に応じて、室空間の中央に位置する第３ＨＦＣ柱を省いて、広い室空間を容易に得ることができる。
（ホ）請求項５の中高層建造物は、前記（１）〜（４）及び（７）の効果のほかに、次の（８）の効果を奏する。
（８）第４ＨＦＣ梁のコンクリート層中に複数本の緊張材が梁の長手方向に延在させてコンクリートに付着しないように埋め込まれ、各緊張材の両方の端よりの部分が第１ＨＦＣ柱及び第２ＨＦＣ柱の挿通孔に通されて各ＨＦＣ柱の外側に出され、各緊張材に引張力が導入され、導入した引張力が、各ＨＦＣ柱の外側に配された定着具にて保持され、第４ＨＦＣ梁の端部と各ＨＦＣ柱の梁取付部との圧着に寄与するようになっているから、第４ＨＦＣ梁の端部を各ＨＦＣ柱に圧着接合させるための緊張材の一部又は全部を省くことができる。
【００４３】
（ヘ）請求項６の中高層建造物は、前記（１）〜（４）の効果のほかに、次の（９）の効果を奏する。
（９）第２又は第３ＨＦＣ梁或いは第２又は第３梁鉄骨を取付ける第１ＨＦＣ柱及び第２ＨＦＣ柱の梁取付部を第１ＨＦＣ梁を取付ける第１ＨＦＣ柱及び第２ＨＦＣ柱の梁取付部より第２又は第３ＨＦＣ梁或いは第２又は第３梁鉄骨の成と略同じ寸法だけ上方に位置させるようになっているから、第２又は第３ＨＦＣ梁或いは第２又は第３梁鉄骨を第１及び第２ＨＦＣ柱に接合するために、第１及び第２ＨＦＣ柱の柱鉄骨やコンクリート層に挿通孔を穿設しても、挿通孔の穿設箇所が集中することなく、第１及び第２ＨＦＣ柱の強度の低下を抑えることができる。
（ト）請求項７の発明の建造物は、前記（１）〜（４）の効果のほかに、次の（１０）の効果を奏する。
（１０）第１ＨＦＣ柱、第２ＨＦＣ柱及び第２ＨＦＣ柱として、成と幅との差の小さいＨ形鋼の鉄骨にそのウェブの両側の全域にわたって多数本の頭付スタッドを間隔をおいて立設して柱鉄骨又は前記Ｈ形鋼の鉄骨の上側及び下側のフランジの内側面にフランジの長手方向の略全域にわたって延在させて配した異形棒鋼をフランジの内側面に固定した柱鉄骨と、柱鉄骨の両方のフランジの内側面、ウェブの両方の表面、柱鉄骨のフランジの幅方向の端面を含む平面、及び柱鉄骨の長手方向の端面を含む平面により囲まれる空間内にコンクリートを充填して柱鉄骨に付着させたコンクリート層とで構成されたＨＦＣ柱を使うから、柱の占有空間を増加させることなく、柱の強度、剛性及び耐火性能を高めることができる。そのうえ、柱鉄骨のウェブの両側に立設した多数本の頭付スタッド又はそのフランジの内側面に固定した異形棒鋼により、柱鉄骨とコンクリート層とを完全に一体化させることができる。
【００４４】
（チ）請求項８の中高層建造物は、前記（１）〜（４）の効果のほかに、次の（１１）の効果を奏する。
（１１）第１ＨＦＣ梁として、フランジ幅の広いＨ形鋼の鉄骨にそのウェブの両側の全域にわたって多数本の頭付スタッドを間隔をおいて立設して梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両方の表面、梁鉄骨のフランジの幅方向の端面を含む平面、及び梁鉄骨の長手方向の端面を含む平面により囲まれる空間内にコンクリートを充填して梁鉄骨に付着させたコンクリート層とで構成されたＨＦＣ梁を使うから、梁の占有空間を増加させることなく、梁の強度、剛性及び耐火性能を高めることができる。そのうえ、梁鉄骨のウェブの両側に立設した多数本の頭付スタッド又はそのフランジの内側面に固定した異形棒鋼により、梁鉄骨とコンクリート層とを完全に一体化させることができる。
（リ）請求項９の中高層建造物は、前記（１）〜（４）及び（１１）の効果のほかに、次の（１２）の効果を奏する。
（１２）第２ＨＦＣ梁及び第３ＨＦＣ梁として、フランジ幅の広いＨ形鋼の鉄骨にそのウェブの両側の全域にわたって多数本の頭付スタッドを間隔をおいて立設して梁鉄骨又は前記Ｈ形鋼の鉄骨の上側及び下側のフランジの内側面にフランジの長手方向の略全域にわたって延在させて配した異形棒鋼をフランジの内側面に固定した梁鉄骨と、梁鉄骨の両方のフランジの内側面、ウェブの両方の表面、梁鉄骨のフランジの幅方向の端面を含む平面に平行で前記端面からウェブ側に少々寄った平面、及び梁鉄骨の長手方向の端面を含む平面により囲まれる空間内にコンクリートを充填して梁鉄骨に付着させたコンクリート層とで構成されたＨＦＣ梁を使うから、ＨＦＣ梁であっても、梁間等に配したプレキャストコンクリート造の床板の端部をＨＦＣ梁の梁鉄骨の下側のフランジの上面で直接支持し、又は前記上面上に載設した間隔保持部材を介して支持することができ、床板の支持が容易で、床板上でのスラブの形成作業が容易になる。
【００４５】
（ヌ）請求項１０の方法は、複数のＨＦＣ梁が互いに平行でかつ水平に配されて、各ＨＦＣ梁の端が複数の柱に接合されている建造物の床スラブの形成方法において、ＨＦＣ梁がＨ形鋼の柱鉄骨とそのフランジ間にあって柱鉄骨に付着したコンクリート層とで構成され、前記コンクリート層の表面が各フランジの幅方向の端部の内側面が露出するようなウェブ面に略平行な面にされ、ＨＦＣ梁とＨＦＣ梁との間にプレキャストコンクリート造の床板を配し、前記床板の両方の端部をＨＦＣ梁の梁鉄骨の下側のフランジの幅方向の端部の内側面の上面で直接支持し、又は前記上面上に載設した間隔保持部材を介して支持し、床板の上側にスラブ鉄筋を配し、スラブ鉄筋を梁鉄骨に固着し、床板及びＨＦＣ梁の上側にコンクリートを打設して、床スラブを形成するとともに、床板の端面とＨＦＣ梁のコンクリート層の表面との間の隙間をコンクリートで満たすから、床板のＨＦＣ梁に対する移動を完全に防止し、上記ＨＦＣ梁が天井（床板）の下側に張り出す量を少なくし、室内に梁型が出ないか又は少ししか出ない極めて快適な住空間を提供できる。上記ＨＦＣ梁の成をスラブの厚さ程度にする場合には、経費の増加なしに自由に使用できる室空間を広めることができる。
【００４６】
（ル）請求項１１の方法は、複数のＨ形鋼の梁鉄骨が互いに平行でかつ水平に配されて、各梁鉄骨の端が複数の柱に接合されている建造物の床スラブの形成方法において、梁鉄骨と梁鉄骨との間にプレキャストコンクリート造の床板を配し、前記床板の両方の端部を梁鉄骨の下側のフランジの上面で直接支持し、又は前記上面上に載設した間隔保持部材を介して支持し、床板の上側にスラブ鉄筋を配し、スラブ鉄筋を梁鉄骨の上側のフランジに固着し、床板の端部と梁鉄骨との隙間をコンクリートで満たしてＨＦＣ梁化とするとともに、梁鉄骨の上側及び床板の上側にコンクリートを打設して床スラブを形成するから、床板の梁鉄骨に対する移動を完全に防止し、梁鉄骨がスラブの下側に張り出す量を少なくし、室内に梁型が出ないか又は少ししか出ない極めて快適な住空間を提供できる。そのうえ、コンクリートの打設時等に梁鉄骨のフランジ間の床板の端部と梁鉄骨との間の隙間をコンクリートで満たすから、梁鉄骨を容易にＨＦＣ梁化することができる。
（ヲ）請求項１２の方法は、請求項１１の方法の前記効果を奏することができるだけでなく、梁鉄骨として、Ｈ形鋼のウェブの両側の略全域にわたって多数本の頭付スタッドを間隔をおいて立設した梁鉄骨又は前記Ｈ形鋼の上側及び下側のフランジの内側面にフランジの長手方向の略全域にわたって延在させて配した異形棒鋼を固定した梁鉄骨を用いるから、梁鉄骨のウェブの両側に立設した多数本の頭付スタッド又はそのフランジの内側面に固着した異形棒鋼により、梁鉄骨とそのウェブの両側の隙間を満たしたコンクリート層とを完全に一体化させることができる。
【図面の簡単な説明】
【図１】実施例１の建物を図２のＢ−Ｂ線で断面した要部の平面図
【図２】図１に示す建物をそのＡ−Ａ線で断面した側面図
【図３】実施例１の建物のＨＦＣ柱の要部の正面図
【図４】図３に示すＨＦＣ柱をそのＣ−Ｃ線で断面した平面図
【図５】実施例１の建物のＨＦＣ梁の要部の正面図
【図６】図５に示すＨＦＣ梁をそのＤ−Ｄ線で断面した側面図
【図７】実施例１の建物の他のＨＦＣ梁を図５のＤ−Ｄ線と同じ線で断面した側面図
【図８】実施例１の建物のその他のＨＦＣ梁を図５のＤ−Ｄ線と同じ線で断面した側面図
【図９】実施例１の建物のスラブの形成の仕方等を示す断面図
【図１０】図９に示すスラブの要部をそのＥ−Ｅ線で断面した側面図
【図１１】実施例１の建物の耐震壁の要部の正面図
【図１２】図１０に示す耐震壁をそのＦ−Ｆ線で断面した平面図
【図１３】実施例１のＨＦＣ柱同士のボルト接合部を図１２のＨ−Ｈ線で断面した平面図
【図１４】図１３に示すボルト接合部をそのＧ−Ｇ線で断面した正面図
【図１５】実施例１のＨＦＣ柱とＨＦＣ梁とのボルト接合部を図１６のＫ−Ｋ線で断面した平面図
【図１６】図１５に示すボルト接合部をそのＪ−Ｊ線で断面した平面図
【図１７】実施例１のＨＦＣ柱と他のＨＦＣ梁とのボルト接合部を図１８のＭ−Ｍ線で断面した平面図
【図１８】図１７に示すボルト接合部をそのＬ−Ｌ線で断面した平面図
【図１９】実施例１のＨＦＣ柱同士の圧接接合部の正面図
【図２０】図１９に示す圧接接合部の側面図
【図２１】実施例１のＨＦＣ柱とＨＦＣ梁との圧接接合部の正面図
【図２２】図２１に示す圧接接合部の平面図
【図２３】実施例１のＨＦＣ柱と他のＨＦＣ梁との圧接接合部の正面図
【図２４】図２３に示す圧接接合部の平面図
【図２５】実施例２の建物を図２の線Ｂ−Ｂと同じ線で断面した要部の平面図
【図２６】実施例２の建物に使うＨＦＣ梁の正面図
【図２７】図２６に示すＨＦＣ梁をそのＱ−Ｑ線で断面した正面図
【図２８】実施例２のＨＦＣ梁をＨＦＣ柱に圧接接合した状態の図２５のＰ−Ｐ線に沿って見た側面図
【図２９】実施例３の建物の基準階の平面図
【図３０】図２９に示す建物をそのＲ−Ｒ線で断面した正面図
【図３１】実施例３の建物で使う鉄骨梁の横断図
【図３２】実施例３の建物のスラブの形成の仕方等を示す断面図
【図３３】実施例４の建物のスラブの形成の仕方等を示す断面図
【図３４】実施例４の建物のスラブのその他の形成の仕方等を示す断面図
【図３５】実施例５の建物に使う耐震ブレース壁架構の正面図
【図３６】図３５に示す耐震ブレース壁架構をそのＳ−Ｓ線で断面した要部の平面図
【図３７】図３５に示す耐震ブレース壁架構の左側の中間部を拡大した正面図
【図３８】図３５に示す耐震ブレース壁架構の右側の中間部を拡大した正面図
【符号の説明】
１  杭
２  基板
３  免震手段
４  下部躯体
１０Ａ，１０Ｂ  ＨＦＣ柱
１１  柱鉄骨
１１ａ  フランジ
１１ｂ  ウェブ
１１ａ１，〜１１ａ３，１１ｂ１，１１ｂ２  挿通孔
１２  コンクリート層
１２ａ  端よりのコンクリート層
１２ａ１，１２ａ２  挿通孔
１２ｂ  梁取付部のコンクリート層
１２ｂ１〜１２ｂ４  挿通孔
１３  空部
１４  梁受アングル
２０Ａ〜２０Ｄ  ＨＦＣ梁
２０Ｅ，２０Ｆ  鉄骨梁
２１  梁鉄骨
２１ａ  フランジ
２１ｂ  ウェブ
２２  コンクリート層
２２ａ  端よりのコンクリート層
２２ａ１〜２２ａ３  挿通孔
２３  空部
２５Ａ，２５Ｂ  接合用アングル
３０  耐震壁
３０Ａ  耐震ブレース壁架構
３１  格子状の鉄筋
３２  コンクリート
３３  梁受部材
３４  床板受部材
３５  Ｘ形ブレース
３６  縦材
３７Ａ，３７Ａ  ガセット板
３８  鉄骨梁
４０  コンクリートスラブ
４１，４１Ａ  床板
４２  格子状鉄筋
４３  コンクリート
５１  バルコニー
５２  廊下
５３，５４，５５  壁
Ａｄ，Ａｄ１  定着具
Ｄｂ  異形棒鋼
Ｌｂ  長ボルト
Ｈ  成
Ｍｔ  モルタル
Ｓｄ  頭付スタッド
Ｓｌ  間隔保持部材
Ｓｐ  添え板
Ｔｄ，Ｔｄ１  緊張材
Ｗ  フランジ幅
【図１】
0004688012.tif 000002
【図２】
0004688012.tif 000003
【図３】
0004688012.tif 000004
【図４】
0004688012.tif 000005
【図５】
0004688012.tif 000006
【図６】
0004688012.tif 000007
【図７】
0004688012.tif 000008
【図８】
0004688012.tif 000009
【図９】
0004688012.tif 000010
【図１０】
0004688012.tif 000011
【図１１】
0004688012.tif 000012
【図１２】
0004688012.tif 000013
【図１３】
0004688012.tif 000014
【図１４】
0004688012.tif 000015
【図１５】
0004688012.tif 000016
【図１６】
0004688012.tif 000017
【図１７】
0004688012.tif 000018
【図１８】
0004688012.tif 000019
【図１９】
0004688012.tif 000020
【図２０】
0004688012.tif 000021
【図２１】
0004688012.tif 000022
【図２２】
0004688012.tif 000023
【図２３】
0004688012.tif 000024
【図２４】
0004688012.tif 000025
【図２５】
0004688012.tif 000026
【図２６】
0004688012.tif 000027
【図２７】
0004688012.tif 000028
【図２８】
0004688012.tif 000029
【図２９】
0004688012.tif 000030
【図３０】
0004688012.tif 000031
【図３１】
0004688012.tif 000032
【図３２】
0004688012.tif 000033
【図３３】
0004688012.tif 000034
【図３４】
0004688012.tif 000035
【図３５】
0004688012.tif 000036
【図３６】
0004688012.tif 000037
【図３７】
0004688012.tif 000038
【図３８】
0004688012.tif 000039